(57)【要約】バックライト装置１２は、外形が実質的に円形とされ、その中心Ｃを通る区分線ＳＬによって複数の扇形領域ＳＡに区分されていて区分線ＳＬが中心Ｃにて全て交差するものとされる導光板１４と、複数の扇形領域ＳＡのそれぞれに属する形で複数ずつ並ぶとともに周方向について隣り合う扇形領域ＳＡのそれぞれに属するもののうち周方向について端に位置するもの同士の中間位置が区分線ＳＬと一致するよう配されてなる複数のＬＥＤ１７と、扇形領域ＳＡに属する複数のＬＥＤ１７と同数またはそれ以上備えられるとともに、複数の扇形領域ＳＡのそれぞれに属する複数ずつのＬＥＤ１７に電力を供給する複数の配線部１８ｃと、を備える。
2016129514.tif 000002
【特許請求の範囲】
【請求項１】
外形が実質的に円形または楕円形とされ、その中心を通る区分線によって複数の扇形領域に区分されていて前記区分線が前記中心にて全て交差するものとされる導光板と、
前記導光板を取り囲む形でその周方向に沿って並ぶ複数の光源であって、複数の前記扇形領域のそれぞれに属する形で複数ずつ並ぶとともに前記周方向について隣り合う前記扇形領域のそれぞれに属するもののうち前記周方向について端に位置するもの同士の中間位置が前記区分線と一致するよう配されてなる複数の光源と、
前記扇形領域に属する複数の前記光源と同数またはそれ以上備えられるとともに、複数の前記扇形領域のそれぞれに属する複数ずつの前記光源のそれぞれに電力を供給する複数の電力供給部と、を備える照明装置。
【請求項２】
前記導光板は、複数の前記扇形領域における中心角が等しいものとされるとともに、前記扇形領域の数が３以上の奇数となるよう構成されている請求項１記載の照明装置。
【請求項３】
複数の前記光源は、複数の前記扇形領域のそれぞれに属する数が同一とされている請求項２記載の照明装置。
【請求項４】
複数の前記光源は、複数の前記扇形領域において同一の前記電力供給部に接続される前記光源間の中心角が等しくなるよう配されている請求項３記載の照明装置。
【請求項５】
複数の前記光源は、前記扇形領域に属する複数の前記光源の間の間隔が、互いに前記周方向について隣り合う前記扇形領域のそれぞれに属する複数ずつの前記光源のうち前記周方向について端に位置する前記光源の間の間隔よりも狭くなるよう配されている請求項１から請求項４のいずれか１項に記載の照明装置。
【請求項６】
複数の前記光源は、前記扇形領域に属する複数の前記光源に含まれて前記周方向について両端に位置する前記光源の間の中央位置が、前記扇形領域における前記周方向についての中央位置と一致するよう配されている請求項５記載の照明装置。
【請求項７】
前記導光板の外周面の一部には、前記光源における発光面に並行するとともに前記光源からの光が入射される光入射面が、複数の前記扇形領域毎に複数ずつ設けられている請求項１から請求項６のいずれか１項に記載の照明装置。
【請求項８】
前記導光板には、その外周側部分を前記周方向について部分的に切り欠くことで前記光入射面を有する切り欠きが設けられており、
複数の前記光源は、少なくともその一部が前記切り欠き内に入る形で配されている請求項７記載の照明装置。
【請求項９】
前記導光板には、前記扇形領域に属する複数の前記光源における少なくとも一部ずつが一括して入るとともに複数の前記光入射面を有する形で前記切り欠きが、複数の前記扇形領域と同数設けられている請求項８記載の照明装置。
【請求項１０】
前記導光板は、その中心側部分が、光を有効に出射させる有効出光領域とされるのに対し、前記外周側部分が、前記有効出光領域を取り囲んでいて前記切り欠きが設けられる非有効出光領域とされる請求項８または請求項９記載の照明装置。
【請求項１１】
複数の前記光源は、前記扇形領域に属する複数の前記光源に、他の前記光源に対して発光面が傾いた前記光源が含まれるよう配されている請求項１から請求項１０のいずれか１項に記載の照明装置。
【請求項１２】
複数の前記光源は、前記扇形領域に属する複数の前記光源のうち前記周方向について一方側に配される前記光源の前記発光面が、前記周方向について一方側を指向するのに対し、前記周方向について他方側に配される前記光源の前記発光面が、前記周方向について他方側を指向するよう配されており、
前記導光板には、その外周側部分を前記周方向について部分的に切り欠くことで、複数の前記扇形領域のそれぞれに属する複数の前記光源の前記発光面に並行するとともに複数の前記光源からの光がそれぞれ入射される複数の光入射面を有していてさらには前記扇形領域に属する複数の前記光源における少なくとも一部ずつが一括して入る切り欠きが、複数の前記扇形領域と同数設けられている請求項１１記載の照明装置。
【請求項１３】
複数の前記光源が実装されるとともに、複数の前記扇形領域のそれぞれに属する複数ずつの前記光源のそれぞれに対して接続されていて複数の前記電力供給部を構成する複数の電力供給配線部が設けられる光源基板を備える請求項１から請求項１２のいずれか１項に記載の照明装置。
【請求項１４】
請求項１から請求項１３のいずれか１項に記載の照明装置と、前記照明装置からの光を利用して表示を行う表示パネルと、を備える表示装置。
【発明の詳細な説明】
【技術分野】
【０００１】
本発明は、照明装置及び表示装置に関する。
【背景技術】
【０００２】
従来、ブック型のコンピュータ、携帯電話機または携帯テレビのような小型、薄型の機器の表示装置として、液晶表示装置が用いられている。また、車両用計器にも車両情報や交通情報を表示する表示装置として液晶表示装置が用いられるようになってきている。これらの液晶表示装置は液晶パネルを照射する照明装置を備えており、この照明装置としては光源と、この光源の光束を液晶パネルの照射に最適な面状の光束に変換する導光板とよりなるものであった。この種の照明装置の一例として下記特許文献１に記載されたものが知られている。特許文献１には、光源と、導光部材と、を備え、光源から発せられる光が導光部材の光入射部から入射するとともに導光部材の光出射部から出射して被照明部材である液晶パネルを照明する照明装置において、導光部材を略円形状とし、光源を複数備え、複数の光源から出た光の出射方向が全て交わるように光源を導光部材の周縁に配設したものが記載されている。
【先行技術文献】
【特許文献】
【０００３】
【特許文献１】特開２００９−１９９９７１号公報
【０００４】
（発明が解決しようとする課題）
上記した特許文献１では、複数の光源から出た光の出射方向が全て交わる、つまり任意の光源が正対しない関係とされることで、光の集中が生じ難くなり、もって照明ムラが抑制されるようになっている。その一方で、複数の光源は、基板と電気的に接続されており、電源からの電力が基板を通じて供給されるようになっている。このため、万が一に複数の光源のいずれかが故障したり、基板上の配線に断線が生じた場合には、点灯不能な光源が発生することになる。複数の光源の中に点灯不能な光源が発生すると、その光源と正対する領域への光の供給量が著しく減少し、局所的な暗部が発生することが懸念される。
【発明の概要】
【０００５】
本発明は上記のような事情に基づいて完成されたものであって、輝度ムラを抑制することを目的とする。
【０００６】
（課題を解決するための手段）
本発明の照明装置は、外形が実質的に円形または楕円形とされ、その中心を通る区分線によって複数の扇形領域に区分されていて前記区分線が前記中心にて全て交差するものとされる導光板と、前記導光板を取り囲む形でその周方向に沿って並ぶ複数の光源であって、複数の前記扇形領域のそれぞれに属する形で複数ずつ並ぶとともに前記周方向について隣り合う前記扇形領域のそれぞれに属するもののうち前記周方向について端に位置するもの同士の中間位置が前記区分線と一致するよう配されてなる複数の光源と、前記扇形領域に属する複数の前記光源と同数またはそれ以上備えられるとともに、複数の前記扇形領域のそれぞれに属する複数ずつの前記光源のそれぞれに電力を供給する複数の電力供給部と、を備える。
【０００７】
このようにすれば、外形が実質的に円形または楕円形とされる導光板は、その周方向に沿って並ぶ複数の光源からの光が入射されると、入射された光を導光した後に出射するものとされる。複数の扇形領域は、互いに周方向について隣り合う扇形領域に属する複数ずつの光源のうち周方向について端に位置する光源同士の中間位置に配される区分線によって隣り合うものの間が区分されるとともに、その区分線が導光板の中心にて全て交差する関係とされているから、複数の扇形領域に属する複数ずつ光源からの光が各扇形領域に入射されると、それらの光が導光板の中心を超えて各区分線付近、つまり周方向について隣り合う扇形領域の境界付近へと供給されることになる。周方向について隣り合う扇形領域の境界付近では、内部に存在する光量が不足しがちとされることから、上記により導光板の板面内において生じ得る光量のムラが緩和される。
【０００８】
そして、複数の扇形領域のそれぞれに属する複数ずつの光源のそれぞれには、扇形領域に属する複数の光源と同数またはそれ以上備えられる複数の電力供給部により電力の供給がなされるようになっているので、万が一、例えば扇形領域に属する複数の光源のいずれかが故障する、または複数の電力供給部のいずれかが断線するなどして扇形領域に属する複数の光源のいずれかが点灯不能になった場合であっても、残りの光源は他の電力供給部による電力の供給が維持される。これにより、点灯不能な光源の発生に伴う局所的な暗部が生じ難くなる。
【０００９】
本発明の実施態様として、次の構成が好ましい。
（１）前記導光板は、複数の前記扇形領域における中心角が等しいものとされるとともに、前記扇形領域の数が３以上の奇数となるよう構成されている。このようにすれば、仮に複数の扇形領域における中心角が異なる構成とされた場合に比べると、導光板の出射光量が各扇形領域において均等化され易くなり、輝度ムラの緩和を図る上でより好適となる。
【００１０】
（２）複数の前記光源は、複数の前記扇形領域のそれぞれに属する数が同一とされている。このようにすれば、複数の扇形領域のそれぞれに属する複数ずつの光源に供給する電力を均等化することで、導光板の出射光量が各扇形領域において均等化され易くなる。これにより、電力供給部の構成を簡素化することができる。
【００１１】
（３）複数の前記光源は、複数の前記扇形領域において同一の前記電力供給部に接続される前記光源間の中心角が等しくなるよう配されている。万が一、複数の電力供給部のいずれかが断線した場合には、その断線した電力供給部に接続された光源の全てが点灯不能になる可能性がある。その場合であっても、複数の光源は、複数の扇形領域において同一の電力供給部に接続される光源間の中心角が等しくなるよう配されているから、残りの点灯可能な光源が等角度間隔でもって配されることになる。これにより、断線した電力供給部に接続された光源の全てが点灯不能になった場合、残りの点灯可能な光源に他の電力供給部から電力が供給されることで、導光板からの出射光にその板面内において輝度ムラが生じ難いものとなる。
【００１２】
（４）複数の前記光源は、前記扇形領域に属する複数の前記光源の間の間隔が、互いに前記周方向について隣り合う前記扇形領域のそれぞれに属する複数ずつの前記光源のうち前記周方向について端に位置する前記光源の間の間隔よりも狭くなるよう配されている。このようにすれば、扇形領域に属する複数の光源のいずれかが点灯不能になった場合、残りの点灯可能な光源が、その隣りの扇形領域に属していて周方向について端に位置する光源よりも、点灯不能になった光源の近くに配されることになる。これにより、残りの点灯可能な光源が、点灯不能な光源に代替する形で近似した光学性能を発揮することができるので、点灯不能な光源の発生に伴う局所的な暗部がより生じ難くなる。
【００１３】
（５）複数の前記光源は、前記扇形領域に属する複数の前記光源に含まれて前記周方向について両端に位置する前記光源の間の中央位置が、前記扇形領域における前記周方向についての中央位置と一致するよう配されている。このようにすれば、扇形領域に属する複数の光源から発せられた光が導光板内に入射されると、その扇形領域における周方向についての中央側から両端側へと良好に広がりつつ伝播される。これにより、導光板の出射光量が各扇形領域において均等化され易くなり、輝度ムラの緩和を図る上でより好適となる。
【００１４】
（６）前記導光板の外周面の一部には、前記光源における発光面に並行するとともに前記光源からの光が入射される光入射面が、複数の前記扇形領域毎に複数ずつ設けられている。このようにすれば、導光板の光入射面が光源の発光面に並行する形態とされることで、光源から光入射面に入射される光の入射効率が良好なものとなる。
【００１５】
（７）前記導光板には、その外周側部分を前記周方向について部分的に切り欠くことで前記光入射面を有する切り欠きが設けられており、複数の前記光源は、少なくともその一部が前記切り欠き内に入る形で配されている。このようにすれば、仮に導光板の外周側部分を周方向について部分的に外側に突出させてその突部が光入射面を有する態様とした場合に比べると、複数の光源における少なくとも一部が切り欠き内に入る形で配されることで、当該照明装置の狭額縁化が図られる。
【００１６】
（８）前記導光板には、前記扇形領域に属する複数の前記光源における少なくとも一部ずつが一括して入るとともに複数の前記光入射面を有する形で前記切り欠きが、複数の前記扇形領域と同数設けられている。このようにすれば、仮に扇形領域に属する複数の光源毎に切り欠きを複数設けるようにした場合に比べると、導光板の外形が複雑化し難くなる。また、切り欠きに一部ずつが一括して入る複数の光源からの光は、切り欠きに有される複数の光入射面に入射されて導光板内を伝播される。
【００１７】
（９）前記導光板は、その中心側部分が、光を有効に出射させる有効出光領域とされるのに対し、前記外周側部分が、前記有効出光領域を取り囲んでいて前記切り欠きが設けられる非有効出光領域とされる。このようにすれば、導光板のうち、有効出光領域を取り囲む非有効出光領域に切り欠きが設けられ、光を有効に出射させる有効出光領域には切り欠きが設けられない構成となっているので、有効出光領域からの出射光に切り欠きに起因する影響が及び難いものとなり、輝度ムラを緩和する上でより好適とされる。
【００１８】
（１０）複数の前記光源は、前記扇形領域に属する複数の前記光源に、他の前記光源に対して発光面が傾いた前記光源が含まれるよう配されている。このようにすれば、扇形領域に属する複数の光源からの光が導光板内に入射されると、その入射された光が扇形領域において周方向についてより広がる形で伝播されることになる。これにより、輝度ムラを抑制する上でより好適となる。
【００１９】
（１１）複数の前記光源は、前記扇形領域に属する複数の前記光源のうち前記周方向について一方側に配される前記光源の前記発光面が、前記周方向について一方側を指向するのに対し、前記周方向について他方側に配される前記光源の前記発光面が、前記周方向について他方側を指向するよう配されており、前記導光板には、その外周側部分を前記周方向について部分的に切り欠くことで、複数の前記扇形領域のそれぞれに属する複数の前記光源の前記発光面に並行するとともに複数の前記光源からの光がそれぞれ入射される複数の光入射面を有していてさらには前記扇形領域に属する複数の前記光源における少なくとも一部ずつが一括して入る切り欠きが、複数の前記扇形領域と同数設けられている。このようにすれば、例えば、導光板が回動しようとした場合、扇形領域に属する複数の光源のうち周方向について一方側と他方側とにそれぞれ配される各光源の発光面が、切り欠きにおける各光入射面に対して当接されることになるので、導光板の周方向についての位置ずれを規制することが可能となる。また、扇形領域に属する複数の光源における少なくとも一部ずつが切り欠き内に一括して入る形で配されることで、当該照明装置の狭額縁化が図られるとともに、導光板の外形が複雑化し難くなる。
【００２０】
（１２）複数の前記光源が実装されるとともに、複数の前記扇形領域のそれぞれに属する複数ずつの前記光源のそれぞれに対して接続されていて複数の前記電力供給部を構成する複数の電力供給配線部が設けられる光源基板を備える。このようにすれば、仮に電力供給配線部を光源基板とは別部品とした場合に比べると、部品点数及び組付工数を削減することができ、低コスト化を図る上で好適となる。
【００２１】
次に、上記課題を解決するために、本発明の表示装置は、上記記載の照明装置と、前記照明装置からの光を利用して表示を行う表示パネルと、を備える。
【００２２】
このような構成の表示装置によれば、表示パネルに対して光を供給する照明装置が、輝度ムラを生じさせ難いものであるため、表示品質の優れた表示を実現することが可能となる。
【００２３】
（発明の効果）
本発明によれば、輝度ムラを抑制することができる。
【図面の簡単な説明】
【００２４】
【図１】本発明の実施形態１に係る液晶表示装置の分解斜視図
【図２】液晶表示装置に備えられるバックライト装置の平面図
【図３】図２のiii-iii線断面図
【図４】図２のiv-iv線断面図
【図５】バックライト装置の拡大平面図
【図６】ＬＥＤ基板の底面図
【図７】ＬＥＤ基板の回路構成を示す回路図
【図８】本発明の実施形態２に係るバックライト装置の平面図
【図９】バックライト装置の拡大平面図
【図１０】本発明の実施形態３に係るバックライト装置の平面図
【図１１】バックライト装置の拡大平面図
【図１２】ＬＥＤ基板の回路構成を示す回路図
【図１３】本発明の実施形態４に係るバックライト装置の平面図
【図１４】バックライト装置の拡大平面図
【図１５】本発明の実施形態５に係るバックライト装置の拡大平面図
【図１６】本発明の実施形態６に係るバックライト装置の拡大平面図
【図１７】本発明の実施形態７に係るバックライト装置の拡大平面図
【発明を実施するための形態】
【００２５】
＜実施形態１＞
本発明の実施形態１を図１から図７によって説明する。本実施形態では、表示パネルとして液晶パネル１１を備えた液晶表示装置（表示装置）１０について例示する。なお、各図面の一部にはＸ軸、Ｙ軸及びＺ軸を示しており、各軸方向が各図面で示した方向となるように描かれている。また、上下方向については、図３及び図４を基準とし、且つ同図上側を表側とするとともに同図下側を裏側とする。
【００２６】
液晶表示装置１０は、全体として略円形状をなしており、図１に示すように、画像を表示可能な液晶パネル（表示パネル）１１と、液晶パネル１１に対して裏側に配されるとともに液晶パネル１１に表示のための光を供給するバックライト装置（照明装置）１２と、を少なくとも備えている。なお、図示は省略するが、液晶表示装置１０に、バックライト装置１２との間で液晶パネル１１の外周端部を保持するベゼルが備わる構成とすることも可能である。本実施形態に係る液晶表示装置１０は、例えば、携帯電話（スマートフォンなどを含む）、スマートウォッチ、四輪車用計器（自動車に搭載されるメータ）、二輪車用計器（オートバイに搭載されるメータ）、ノートパソコン（タブレット型ノートパソコンなどを含む）、携帯型情報端末（電子ブックやＰＤＡなどを含む）、デジタルフォトフレーム、携帯型ゲーム機などの各種電子機器（図示せず）に用いられるのが好ましいものとされるが、必ずしもその限りではない。このため、液晶表示装置１０を構成する液晶パネル１１の画面サイズは、例えば、数インチ〜１０数インチ程度とされ、一般的には小型または中小型に分類される大きさとされるのが好ましいものとされるが、必ずしもその限りではない。
【００２７】
まず、液晶パネル１１について詳しく説明する。液晶パネル１１は、図１に示すように、全体として平面に視て略円形状をなしている。液晶パネル１１は、図３に示すように、ほぼ透明で優れた透光性を有するガラス製の一対の基板１１ａ，１１ｂと、両基板１１ａ，１１ｂ間に介在し、電界印加に伴って光学特性が変化する物質である液晶分子を含む液晶層（図示せず）と、を備え、両基板１１ａ，１１ｂが液晶層の厚さ分のギャップを維持した状態で図示しないシール剤によって貼り合わせられている。この液晶パネル１１は、画面中央側に配されて画像が表示される略円形状の表示領域（アクティブエリア）と、画面外周側に配されて表示領域を取り囲む略円環状（略円形の枠状、ドーナツ状）をなすとともに画像が表示されない非表示領域（ノンアクティブエリア）と、を有している。液晶パネル１１は、バックライト装置１２から供給される光を利用して表示領域に画像を表示することができ、その表側が出光側とされている。なお、両基板１１ａ，１１ｂの外面側には、それぞれ偏光板１１ｃ，１１ｄが貼り付けられている。
【００２８】
液晶パネル１１を構成する両基板１１ａ，１１ｂのうち表側（正面側）がＣＦ基板１１ａとされ、裏側（背面側）がアレイ基板１１ｂとされる。アレイ基板１１ｂの表示領域における内面側（液晶層側、ＣＦ基板１１ａとの対向面側）には、スイッチング素子であるＴＦＴ（Thin Film Transistor：表示素子）及び画素電極が多数個マトリクス状（行列状）に並んで設けられるとともに、これらＴＦＴ及び画素電極の周りには、格子状をなすゲート配線及びソース配線が取り囲むようにして配設されている。ゲート配線及びソース配線には、画像に係る信号がドライバ（図示せず）によりそれぞれ供給されるようになっている。ゲート配線及びソース配線により囲まれた方形の領域に配された画素電極は、ＩＴＯ（Indium Tin Oxide：酸化インジウム錫）或いはＺｎＯ（Zinc Oxide：酸化亜鉛）といった透明電極からなる。さらには、アレイ基板１１ｂの表示領域における内面側には、各ゲート配線にゲート信号（走査信号）を供給することで、各ＴＦＴを順次に走査して選択的に駆動するゲート回路部（走査回路部）が設けられている。ゲート回路部は、ＴＦＴと同じ半導体膜（好ましくは酸化物半導体材料）をベースとしてアレイ基板１１ｂ上にモノリシックに形成されており、それによりＴＦＴへの出力信号（ゲート信号）の供給を制御するための制御回路を有している。ゲート回路部は、表示領域内における所定の範囲に存在する各画素に、制御回路を構成する各種回路素子（制御回路用ＴＦＴなど）を分散して配置することで設けられている。このように、ゲート回路部を表示領域内に設けるようにすれば、仮にゲート回路部を非表示領域に設けるようにした場合に比べると、非表示領域の額縁幅を狭くすることができ、それにより液晶パネル１１及び液晶表示装置１０の狭額縁化を図ることができる。また、ゲート回路部が表示領域内に設けられることで、液晶パネル１１の外形を設定する上で自由度が高いものとなる。一方、ＣＦ基板１１ａにおける内面側には、各画素に対応した位置に多数個のカラーフィルタがマトリクス状に並んで設けられている。カラーフィルタは、Ｒ，Ｇ，Ｂの三色が交互に並ぶ配置とされる。各カラーフィルタ間には、混色を防ぐための遮光層（ブラックマトリクス）が形成されている。カラーフィルタ及び遮光層の表面には、アレイ基板１１ｂ側の画素電極と対向する対向電極が設けられている。また、両基板１１ａ，１１ｂの内面側には、液晶層に含まれる液晶分子を配向させるための配向膜（図示せず）がそれぞれ形成されている。
【００２９】
液晶パネル１１を構成するＣＦ基板１１ａ及びアレイ基板１１ｂは、図１に示すように、全体として略円形とされるそれぞれの外周縁部が部分的に直線状に切り欠かれることで、直線状縁部１１ａ１，１１ｂ１を有しており、ＣＦ基板１１ａの方がアレイ基板１１ｂよりも切り欠き幅が広いものとされる。従って、アレイ基板１１ｂの直線状縁部１１ｂ１は、ＣＦ基板１１ａの直線状縁部１１ａ１よりも径方向について外側に突き出す形で配されている。そして、アレイ基板１１ｂの外周側部分である非表示領域のうち、周方向について直線状縁部１１ｂ１の配置と整合する位置には、表示画像に係る各種信号を供給するためのフレキシブル基板２０が実装されるとともに、フレキシブル基板２０に接続される図示しないパネル側端子部が設けられている。アレイ基板１１ｂの非表示領域におけるフレキシブル基板２０の実装領域及びパネル側端子部の形成領域は、平面に視てＣＦ基板１１ａの直線状縁部１１ａ１と、アレイ基板１１ｂの直線状縁部１１ｂ１と、の間に挟み込まれた一定幅の帯状の領域とされる。フレキシブル基板２０は、絶縁性及び可撓性を有する合成樹脂材料（例えばポリイミド系樹脂等）からなるフィルム状の基材と、基材上に配索形成される多数本の配線パターン（図示せず）と、を少なくとも有しており、一方の端部が液晶パネル１１に、他方の端部が図示しないコントロール基板に、それぞれ接続されることで、コントロール基板から供給される表示画像に係る各種信号を液晶パネル１１へと伝送することが可能とされる。上記のように、本実施形態に係る液晶パネル１１は、直線状縁部１１ａ１，１１ｂ１を有しているため、全体の平面形状が厳密には真円形状とはなっていない。しかしながら、液晶パネル１１の平面形状を真円形状とすることも勿論可能であり、その場合には画像が表示される表示領域を平面に視て真円形状とすることができる。このような真円形状の液晶パネル１１を用いるようにすれば、例えば液晶表示装置１０の外周部に位置センサなどを設置し、使用者がその外周部に触れることで、表示領域の表示画像を回転させる、といった特有のユーザインターフェイスを採ることが可能となる。
【００３０】
続いて、バックライト装置１２の構成について詳しく説明する。バックライト装置１２は、全体として液晶パネル１１と同様に平面に視て略円形の略ブロック状をなしている。バックライト装置１２は、図１から図４に示すように、液晶パネル１１側に向けて開口した略箱型をなすシャーシ（筐体）１３と、光源である複数のＬＥＤ（Light Emitting Diode：発光ダイオード）１７と、複数のＬＥＤ１７が実装されたＬＥＤ基板（光源基板）１８と、シャーシ１３に対して表側に重ねられるとともにＬＥＤ１７からの光を導光する導光板１４と、導光板１４に対して表側（出光側）に重ねられるとともに導光板１４からの出射光に光学作用を付与して液晶パネル１１へと出射させるための複数の光学シート１５と、シャーシ１３と導光板１４との間に挟み込まれる形で重ねられて導光板１４側に向けて光を反射する反射シート１６と、を少なくとも備える。このバックライト装置１２は、ＬＥＤ１７からの光を、導光板１４、光学シート１５、及び反射シート１６の光学作用により面状の光に変換しつつシャーシ１３の開口部位から表側の液晶パネル１１に向けて出射するものとされる。つまり、バックライト装置１２に対して表側が出光側とされる。以下、バックライト装置１２の構成部品について順次に説明する。なお、各図面に示すＺ軸方向は、導光板１４、光学シート１５、及び反射シート１６の板面の法線方向と一致するとともに、シャーシ１３、導光板１４、光学シート１５、及び反射シート１６の重なり方向と一致している。
【００３１】
シャーシ１３は、合成樹脂材料または金属材料からなり、図１から図４に示すように、平面形状が略円形をなすとともに表側に向けて開口した略箱型（有底略円筒形）をなすことで、その内部にＬＥＤ基板１８、導光板１４、光学シート１５、及び反射シート１６を収容するものとされる。シャーシ１３は、全体として液晶パネル１１などと同様に平面に視て（Ｚ軸方向から視て）略円形状をなしている。シャーシ１３は、略円形状とされる底壁部１３ａと、底壁部１３ａにおける外周端部から表側に向けて立ち上がる側壁部１３ｂと、からなる。底壁部１３ａは、その板面が導光板１４、光学シート１５、反射シート１６、及び液晶パネル１１の各板面に並行しており、シャーシ１３内に収容される導光板１４、光学シート１５、及び反射シート１６を裏側から支持するものとされる。側壁部１３ｂは、シャーシ１３内に収容される導光板１４、光学シート１５、反射シート１６、及びＬＥＤ基板１８（ＬＥＤ１７）を外周側から取り囲む形で配されることで、全体として略円環状（略円形の枠状）をなしている。また、側壁部１３ｂの先端部には、液晶パネル１１をバックライト装置１２に固定するためのパネル固定テープ１９の外周端部における裏側の面が固着される。このパネル固定テープ１９は、基材の両面が粘着面とされた両面テープとされており、側壁部１３ｂと後述する光学シート１５（具体的には後述する第２レンズシート１５ｃ）とに跨る形で両者と液晶パネル１１とに固着される。
【００３２】
ＬＥＤ１７は、図１から図４に示すように、ＬＥＤ基板１８の板面に固着される基板部上に半導体発光素子であるＬＥＤチップ（ＬＥＤ素子）を樹脂材により封止した構成とされる。このＬＥＤ１７は、図示しないアノード端子及びカソード端子を有しており、これらの間に順バイアスとなる直流電流が流されることで、ＬＥＤチップが発光するようになっている。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色（例えば黄色、緑色、赤色など）を発光する蛍光体が分散配合されており、ＬＥＤ１７全体としては概ね白色光を発するものとされる。このＬＥＤ１７は、ＬＥＤ基板１８に対する実装面に隣接する側面が発光面１７ａとされる、いわゆる側面発光型とされている。ＬＥＤ１７の発光面１７ａは、平面に視て直線状をなしている。このＬＥＤ１７の高さ寸法は、後述する導光板１４の厚み寸法よりも小さなものとされており、具体的には例えば０．４ｍｍ程度とされる。このＬＥＤ１７における光軸は、発光面１７ａに対する法線方向に並行している。なお、ここで言う「光軸」とは、ＬＥＤ１７からの発光光（配光分布）のうち発光強度が最も高い光の進行方向である。
【００３３】
ＬＥＤ基板１８は、図１，図３，図４及び図６に示すように、絶縁材料製（例えばポリイミド製）で可撓性を有するフィルム状（シート状）をなしており、その板面がシャーシ１３の底壁部１３ａなどの板面に並行している。ＬＥＤ基板１８は、導光板１４、光学シート１５、及び反射シート１６の周方向に沿って延在する無端環状をなす基板本体１８ａと、基板本体１８ａから部分的に径方向に沿って外側に引き出される引き出し部１８ｂと、から構成される。無端の円環状をなす基板本体１８ａは、その内径寸法が導光板１４及び反射シート１６の外径寸法よりも小さく且つ外径寸法が導光板１４及び反射シート１６の外径寸法と同等程度とされるとともに、導光板１４及び反射シート１６の外周端部に対して裏側に重なる形で配されている。基板本体１８ａは、その裏側に重なるシャーシ１３の底壁部１３ａに対してＬＥＤ基板固定テープ２１を介して固着されている。ＬＥＤ基板固定テープ２１は、基材の両面が粘着面とされた両面テープとされる。基板本体１８ａには、実装された各ＬＥＤ１７に対して電力を供給するための配線部（電力供給配線部、電力供給部）１８ｃがパターニングされている。なお、配線部１８ｃの具体的なパターンに関しては後に詳しく説明する。また、ここで言う「径方向」は、円形状または円環状をなすもの（導光板１４やＬＥＤ基板１８など）の中心からの距離が変化する方向であるのに対し、「周方向」は、同中心からの距離が変化しない方向である。
【００３４】
ＬＥＤ基板１８の基板本体１８ａにおける表裏両板面のうち、表側の板面には、図３，図４及び図６に示すように、複数のＬＥＤ１７が実装されており、各ＬＥＤ１７の各端子が半田付けされることで機械的接続及び電気的接続が図られている。ＬＥＤ１７は、基板本体１８ａにおいてその周方向に沿って複数が円環状（環状で且つ曲線状）に並ぶとともに周方向について間隔を空けた形で配列されている。なお、ＬＥＤ１７の詳しい配列などについては後に改めて説明する。引き出し部１８ｂは、基板本体１８ａのうち、周方向について隣り合う所定のＬＥＤ１７の間となる部分に連ねられており、その連なる部分から径方向に沿ってほぼ真っ直ぐに外側に向けて延在する形態とされている。引き出し部１８ｂには、基板本体１８ａの配線部１８ｃに連なる引き出し配線部１８ｄが設けられている。引き出し配線部１８ｄは、引き出し部１８ｂの延在方向に沿って直線的に延在するとともにその先端部に給電端子部１８ｄ１，１８ｄ２（図６を参照）が露出する形で設けられている。この給電端子部１８ｄ１，１８ｄ２には、図６に示すように、アノード側給電端子部１８ｄ１とカソード側給電端子部１８ｄ２とが２つずつ含まれており、引き出し配線部１８ｄには、２つのアノード側給電端子部１８ｄ１に共通して連なるものが１本、２つのカソード側給電端子部１８ｄ２に個別に連なるものが２本、それぞれ含まれている。この引き出し部１８ｂは、シャーシ１３の底壁部１３ａに部分的に形成された開口部（図示せず）を通してバックライト装置１２の外部に引き出されている。この開口部を通された引き出し部１８ｂは、シャーシ１３の裏側に配置された図示しないＬＥＤ駆動回路基板の給電コネクタに上記端子部が接続されるようになっている。
【００３５】
導光板１４は、図１から図４に示すように、合成樹脂製（例えばＰＭＭＡなどのアクリル樹脂製、ポリカーボネート（ＰＣ）製）とされるとともに、シャーシ１３の底壁部１３ａと同様に平面に視て略円形状をなしており、その外径寸法がシャーシ１３の底壁部１３ａよりも一回り小さなものとされる。つまり、導光板１４は、ＬＥＤ基板１８において円環状に並ぶＬＥＤ１７の配列に倣う外形を有している、と言える。導光板１４は、シャーシ１３内において側壁部１３ｂによりその周りが取り囲まれた形で収容されるとともに、液晶パネル１１及び光学シート１５の直下位置に配されている。導光板１４の外周端面は、ＬＥＤ１７と対向状をなすＬＥＤ対向部（光源対向部）と、ＬＥＤ１７とは対向しないＬＥＤ非対向部（光源非対向部）と、に区分されるが、このうちのＬＥＤ対向部が、ＬＥＤ１７からの光が直接的に入射される光入射面１４ａを構成している。光入射面１４ａは、図５に示すように、ＬＥＤ１７の発光面１７ａに並行しており、平面に視て直線状をなしている。つまり、光入射面１４ａは、導光板１４における外周縁部を周方向について部分的に直線状に切り欠くことで形成されている。これにより、導光板１４は、その外周面が全体として真円形状とはならず、周方向について間隔を空けた位置に直線状の弦が複数設けられた形態とされる。導光板１４の外周縁部に光入射面１４ａを形成するために設けられた切り欠き１４ｅには、対向状をなすＬＥＤ１７における一部が入り込んだ形で配されている。すなわち、ＬＥＤ１７は、仮に導光板の外周面が真円形状だった場合の仮想線（図５では二点鎖線により示す）と交差する形、言い換えると径方向について重なり合う形で配置されている。なお、切り欠き１４ｅの形成範囲は、上記仮想線と光入射面１４ａとにより囲まれた弓形状の領域である。これに対し、ＬＥＤ非対向部は、ＬＥＤ１７からの光が直接的に入射されることが殆どない非入光面１４ｄとされている。非入光面１４ｄは、平面に視て円弧状をなしている。なお、これら光入射面１４ａ及び非入光面１４ｄの詳しい周方向についての配置などについては後に改めて説明する。また、この導光板１４の厚み寸法は、図３及び図４に示すように、既述したＬＥＤ１７の高さ寸法よりも大きなものとされており、具体的には例えば０．６ｍｍ程度とされる。但し、一層の薄型化が求められる場合には、導光板１４の厚み寸法をＬＥＤ１７の高さ寸法と同等、若しくはそれよりも小さくすることも可能であり、その場合は適宜に遮光処理（漏光防止処理）を施すのが、良好な表示性能を得る上で好ましいものとされる。なお、本実施形態では、ＬＥＤ非対向部のことを「非入光面１４ｄ」として説明しているが、光が全く入射しないことまでを意味するものではなく、例えば非入光面１４ｄから一旦外側に漏れ出した光が側壁部１３ｂによって反射されて戻された場合にはその戻される光が非入光面１４ｄに入射する場合もあり得る。
【００３６】
一方、導光板１４における表裏一対の板面のうち、表側（液晶パネル１１側）を向いた板面は、図２から図４に示すように、光を液晶パネル１１に向けて出射させる光出射面１４ｂとされている。導光板１４は、光出射面１４ｂの全域から光が有効に出射されることがないものとされており、そのうちの円形状をなす中心側部分が光を有効に出射させる有効出光領域ＡＡとされるのに対し、有効出光領域ＡＡを取り囲む円環状をなす外周側部分が非有効出光領域ＮＡＡとされている。なお、図２では、有効出光領域ＡＡの外形を一点鎖線により図示しており、同一点鎖線の外側の部分が非有効出光領域ＮＡＡとされる。これに対して、導光板１４における裏側（反射シート１６側、底壁部１３ａ側）を向いた板面は、光出射面１４ｂとは反対側の反対板面（反射シート側板面）１４ｃとされている。このような構成によれば、ＬＥＤ１７と導光板１４との並び方向と、光学シート１５（液晶パネル１１）と導光板１４との並び方向と、が互いに直交するものとされる。そして、導光板１４は、各ＬＥＤ１７から発せられた光を各光入射面１４ａから導入するとともに、その光を内部で伝播させつつ光学シート１５側（表側、光出射側）へ向くよう立ち上げて表側の板面である光出射面１４ｂから出射させる機能を有している。この導光板１４の反対板面１４ｃには、導光板１４内の光を光出射面１４ｂに向けて反射させることで光出射面１４ｂから出射を促すための光反射部からなる光反射パターン（図示せず）が形成されている。この光反射パターンを構成する光反射部は、多数の光反射ドットからなるものとされており、その分布密度が光入射面１４ａ（ＬＥＤ１７）からの距離に応じて変化するものとされる。具体的には、光反射部を構成する光反射ドットの分布密度は、導光板１４の径方向に関しては光入射面１４ａから遠ざかるほど高くなり、光入射面１４ａに近づくほど低くなる傾向であって導光板１４の中心位置にて最も高くなり且つ導光板１４の外周端位置にて最も低くなる。これに対し、光反射ドットの分布密度は、導光板１４の周方向に関しては導光板１４のうち非入光面１４ｄの中央位置（隣り合う光入射面１４ａの中間位置）にて最も高くなり光入射面１４ａの中央位置（隣り合う非入光面１４ｄの中間位置、ＬＥＤ１７の発光面１７ａの垂線上）にて最も低くなるものとされる。このように光反射パターンの光学設計が最適化されることで、導光板１４の光出射面１４ｂからの出射光に係る輝度均一性が良好なものとなる。
【００３７】
光学シート１５は、図１，図３及び図４に示すように、導光板１４と同様に平面に視て略円形状をなしており、その外径寸法が導光板１４よりも僅かに大きなものとされる。光学シート１５は、導光板１４の光出射面１４ｂの表側に載せられていて液晶パネル１１と導光板１４との間に介在して配されることで、導光板１４からの出射光を透過するとともにその透過光に所定の光学作用を付与しつつ液晶パネル１１に向けて出射させるものとされる。本実施形態に係る光学シート１５は、１枚の拡散シート１５ａと、２枚のレンズシート１５ｂ，１５ｃ（第１レンズシート１５ｂ及び第２レンズシート１５ｃ）と、の合計３枚からなる。このうち、拡散シート１５ａは、ほぼ透明な合成樹脂製の基材中に光を拡散させるための拡散粒子を多数分散配合した構成とされている。拡散シート１５ａは、導光板１４の真上に重ねられており、光学シート１５の中で最も導光板１４の近くに配されている。
【００３８】
２枚のレンズシート１５ｂ，１５ｃは、図１，図３及び図４に示すように、ほぼ透明な合成樹脂製の基材における一方の板面に多数の単位レンズを設けてなるものとされる。２枚のレンズシート１５ｂ，１５ｃのうち、拡散シート１５ａの真上に重ねられるものが第１レンズシート１５ｂとされ、その真上に重ねられるとともに最も液晶パネル１１の近くに配されるものが第２レンズシート１５ｃとされる。第１レンズシート１５ｂは、同板面に並行する第１の方向に沿って延在する単位レンズを、第１の方向と直交する第２の方向に沿って多数並ぶ形で配置してなるものとされ、出射光には単位レンズの並び方向である第２の方向について選択的に集光作用（異方性集光作用）を付与するものとされる。第２レンズシート１５ｃは、同板面に並行する第２の方向に沿って延在する単位レンズを、第２の方向と直交する第１の方向に沿って多数並ぶ形で配置してなるものとされ、出射光には単位レンズの並び方向である第１の方向について選択的に集光作用を付与するものとされる。このように、第１レンズシート１５ｂと、第２レンズシート１５ｃと、は、互いに単位レンズの延在方向及び並び方向がそれぞれ直交する関係となっている。また、第２レンズシート１５ｃにおける外周端部には、パネル固定テープ１９の裏側の面が固着される。なお、各図面に示すＸ軸方向は、第１レンズシート１５ｂの単位レンズの延在方向（第１の方向）と一致するのに対し、Ｙ軸方向は、第２レンズシート１５ｃの単位レンズの延在方向（第２の方向）と一致するものとされており、特に図１では各レンズシート１５ｂ，１５ｃの各単位レンズを、Ｘ軸方向またはＹ軸方向に並行するストライプ状の縞によって図示している。
【００３９】
反射シート１６は、図１，図３及び図４に示すように、導光板１４のうち、裏側、つまり光出射面１４ｂとは反対側の反対板面１４ｃを覆う形で配されている。この反射シート１６は、表面が光反射性に優れた白色を呈する合成樹脂製のシート材からなるものとされるので、導光板１４内を伝播して反対板面１４ｃから出射した光を表側（光出射面１４ｂ）に向けて効率的に立ち上げることができる。反射シート１６は、導光板１４及び光学シート１５と同様に平面に視て略円形状をなしており、その外径寸法が導光板１４とほぼ同じ程度とされる。反射シート１６は、導光板１４とシャーシ１３の底壁部１３ａとの間に挟み込まれる形で配されている。
【００４０】
ここで、ＬＥＤ基板１８におけるＬＥＤ１７の詳しい配列、及びその配列に対応付けられた導光板１４の構成について説明する。ＬＥＤ１７は、図２に示すように、ＬＥＤ基板１８の基板本体１８ａにおいてその周方向について近接した位置に２つ並んで配されることで１つのＬＥＤ群（光源群）１７Ｇを構成するとともに、このＬＥＤ群１７Ｇが、基板本体１８ａにおいてその周方向について所定の間隔（少なくともＬＥＤ群１７Ｇを構成する２つのＬＥＤ１７の間の間隔よりも広い間隔）を空けた位置に複数、間欠的に並ぶ形で配されてなる。より詳しくは、ＬＥＤ群１７Ｇは、基板本体１８ａにおいてその周方向についてほぼ等しい間隔を空けて複数が並ぶ形で配されており、周方向について隣り合うＬＥＤ群１７Ｇ同士がなす中心角、より詳しくは、隣り合うＬＥＤ群１７Ｇのそれぞれを構成する２つずつＬＥＤ１７の間の中間位置同士がなす中心角は、ＬＥＤ群１７Ｇの数を「ｎ」としたときに、「３６０／ｎ」となっている。具体的には、ＬＥＤ群１７Ｇの具体的な区分数は、７つ、つまり３以上の奇数とされており、周方向について隣り合うＬＥＤ群１７Ｇ同士がなす中心角の具体的な数値は、約５１．４３度とされる。従って、それぞれのＬＥＤ群１７Ｇを構成する２つずつのＬＥＤ１７の間の中間位置と、導光板１４の中心Ｃと、を結ぶ線分は、導光板１４の中心Ｃを挟んで一直線状となることはなく、導光板１４の中心Ｃにて全てが交差する関係となっている。ＬＥＤ１７は、発光面１７ａが略円形状とされる導光板１４の外周面における接線に並行する形で配されるとともに、その光軸が導光板１４の中心Ｃと重なるものとされており、全てのＬＥＤ１７の光軸が導光板１４の中心Ｃにて交差するものとされる。ＬＥＤ１７は、ＬＥＤ群１７Ｇを構成する２つのＬＥＤ１７の間の周方向についての間隔が、周方向について隣り合うＬＥＤ群１７Ｇの間の周方向についての間隔や、周方向について隣り合うＬＥＤ群１７Ｇを構成するＬＥＤ１７のうちの端に位置し且つ最も近いＬＥＤ１７の間の周方向についての間隔よりも狭くなるよう配されている。また、ＬＥＤ群１７Ｇを構成する２つのＬＥＤ１７の間の周方向についての間隔は、各ＬＥＤ１７の幅寸法（発光面１７ａの長さ寸法）よりも小さなものとされる。なお、図５には、ＬＥＤ１７における光の出射角度範囲を一点鎖線により図示している。
【００４１】
一方、導光板１４は、外周面のうちその周方向について上記したＬＥＤ群１７Ｇと整合する位置に、直線状をなす光入射面１４ａがＬＥＤ群１７Ｇと同数設けられている。つまり、光入射面１４ａは、導光板１４の外周面において周方向についてほぼ等しい間隔を空けて７つが並ぶ形で配されており、周方向について隣り合う光入射面１４ａ同士がなす中心角が約５１．４３度とされる。ＬＥＤ群１７Ｇを構成する２つのＬＥＤ１７からの光が入射される２つの光入射面１４ａは、相互に繋げられて一体化されており、全体として２つのＬＥＤ１７に跨る延在長さを有している。相互に繋げられた２つの光入射面１４ａには、ＬＥＤ群１７Ｇを構成する２つのＬＥＤ１７から発せられた光が共に入射されるようになっている。このような光入射面１４ａを形成するため、切り欠き１４ｅの形成範囲は、ＬＥＤ群１７Ｇを構成する２つのＬＥＤ１７に跨る大きさとなっており、ＬＥＤ群１７Ｇを構成する２つのＬＥＤ１７における一部ずつが一括して切り欠き１４ｅに入る形となっている。この切り欠き１４ｅは、導光板１４のうちの外周側部分である非有効出光領域ＮＡＡに設けられており、有効出光領域ＡＡには非形成とされている。なお、導光板１４の外周面のうち、光入射面１４ａが非形成とされる部分が全て円弧状をなす非入光面１４ｄとされている。
【００４２】
上記のようなＬＥＤ１７の配列に基づいて導光板１４は、次のように複数の扇形領域ＳＡに区分されている。すなわち、導光板１４は、図２に示すように、その中心Ｃを通る区分線ＳＬによってＬＥＤ群１７Ｇと同数の扇形領域ＳＡに区分されていてその区分線ＳＬが導光板１４の中心Ｃにて全て交差するものとされる。具体的には、周方向について隣り合う扇形領域ＳＡを区分する区分線ＳＬは、ＬＥＤ群１７Ｇを構成する２つのＬＥＤ１７のうち周方向について上記区分線ＳＬに近い側の（端に位置する）ＬＥＤ１７の間の中間位置と一致するものとされる。従って、周方向について区分線ＳＬを挟んで隣り合うＬＥＤ１７は、その区分線ＳＬに関して線対称となる配置（区分線ＳＬからの距離が等しい配置）とされている。このように、導光板１４の各扇形領域ＳＡは、ＬＥＤ基板１８の各ＬＥＤ群１７Ｇにおける周方向についての配置に個別に対応付けられたものとなっており、各扇形領域ＳＡに、各ＬＥＤ群１７Ｇを構成する２つずつのＬＥＤ１７がそれぞれ属する関係となっている。また、各扇形領域ＳＡにおける周方向についての中央位置は、ＬＥＤ群１７Ｇを構成する両端の２つのＬＥＤ１７の間の中間位置と一致している（図５を参照）。導光板１４は、各扇形領域ＳＡにおける中心角が互いに等しいものとされていて、扇形領域ＳＡの区分数を「ｎ」としたときに中心角が「３６０／ｎ」となっている。具体的には、扇形領域ＳＡの中心角は、約５１．４３度、つまり周方向について隣り合うＬＥＤ群１７Ｇ同士がなす中心角と同一とされている。その上で、扇形領域ＳＡの具体的な区分数は、７つ、つまり３以上の奇数とされているので、各扇形領域ＳＡの区分線ＳＬは、導光板１４の中心Ｃにて全て交差する関係となっている。このような構成によれば、各扇形領域ＳＡに属する各ＬＥＤ群１７Ｇを構成する２つずつＬＥＤ１７からの光が各扇形領域ＳＡに入射されると、それらの光が導光板１４の中心Ｃを超えて各区分線ＳＬ付近、つまり周方向について隣り合う扇形領域ＳＡの境界付近へと供給されることになる。周方向について隣り合う扇形領域ＳＡの境界付近では、内部に存在する光量が不足しがちとされることから、上記により導光板１４の板面内において生じ得る光量のムラが緩和されるようになっている。
【００４３】
そして、ＬＥＤ基板１８には、図６に示すように、配線部１８ｃが、扇形領域ＳＡに属するＬＥＤ群１７Ｇを構成するＬＥＤ１７と同数、つまり２つ備えられている。つまり、このＬＥＤ基板１８は、給電系統が２系統とされている。詳しくは、配線部１８ｃには、ＬＥＤ群１７Ｇを構成する２つのＬＥＤ１７のうちの一方のＬＥＤ１７に接続される第１配線部（第１電力供給配線部、第１電力供給部）１８ｃＡと、他方のＬＥＤ１７に接続される第２配線部（第２電力供給配線部、第２電力供給部）１８ｃＢと、が含まれている。第１配線部１８ｃＡに接続される一方のＬＥＤ１７が第１ＬＥＤ１７Ａとされるのに対し、第２配線部１８ｃＢに接続される他方のＬＥＤ１７が第２ＬＥＤ１７Ｂとされる。なお、以下では配線部１８ｃ及びＬＥＤ１７を区別する場合には、第１配線部及び第１ＬＥＤの符号に添え字Ａを、第２配線部及び第２ＬＥＤの符号に添え字Ｂを付し、区別せずに総称する場合には、符号に添え字を付さないものとする。
【００４４】
具体的には、第１配線部１８ｃＡは、図６に示すように、ＬＥＤ基板１８の基板本体１８ａにおいて各ＬＥＤ１７に対して内周側を通る形で延在して基板本体１８ａをほぼ一周するのに対し、第２配線部１８ｃＢは、各ＬＥＤ１７に対して外周側を通る形で延在して基板本体１８ａをほぼ一周しており、いずれも両端部が引き出し部１８ｂに配されている。ＬＥＤ１７に対して内周側を通る第１配線部１８ｃＡは、各ＬＥＤ群１７Ｇを構成する２つずつのＬＥＤ１７のうち、反時計回り方向について手前側に配された各ＬＥＤ１７における各端子に接続されている。つまり、第１配線部１８ｃＡに接続される第１ＬＥＤ１７Ａは、各ＬＥＤ群１７Ｇを構成する２つずつのＬＥＤ１７のうち、反時計回り方向について手前側に配されるものとなっており、それらの間の中心角が全て等しくて、約５１．４３度程度とされる。これに対し、ＬＥＤ１７に対して外周側を通る第２配線部１８ｃＢは、各ＬＥＤ群１７Ｇを構成する２つずつのＬＥＤ１７のうち、反時計回り方向について奥側に配された各ＬＥＤ１７における各端子に接続されている。つまり、第２配線部１８ｃＢに接続される第２ＬＥＤ１７Ｂは、各ＬＥＤ群１７Ｇを構成する２つずつのＬＥＤ１７のうち、反時計回り方向について奥側に配されるものとなっており、それらの間の中心角が全て等しくて、約５１．４３度程度、つまり第１ＬＥＤ１７間の中心角とも等しくなっている。従って、このＬＥＤ基板１８には、第１ＬＥＤ１７Ａと第２ＬＥＤ１７Ｂとが周方向について交互に並ぶ形で実装されている、と言える。そして、第１配線部１８ｃＡ及び第２配線部１８ｃＢは、図６及び図７に示すように、それぞれの一方の端部が、引き出し配線部１８ｄのうちアノード側給電端子部１８ｄ１に連なるものに共通して接続されているのに対し、それぞれの他方の端部が引き出し配線部１８ｄのうちカソード側給電端子部１８ｄ２に連なるものにそれぞれ個別に接続されている。これにより、各第１ＬＥＤ１７Ａは、第１配線部１８ｃＡにより直流駆動されるのに対し、各第２ＬＥＤ１７Ｂは、第２配線部１８ｃＢにより直流駆動されるようになっている。
【００４５】
このような構成によれば、扇形領域ＳＡに属するＬＥＤ群１７Ｇを構成する第１ＬＥＤ１７Ａと第２ＬＥＤ１７Ｂとには、それぞれ第１配線部１８ｃＡと第２配線部１８ｃＢとによって個別に電力の供給がなされるので、万が一、例えば扇形領域ＳＡに属するＬＥＤ群１７Ｇを構成する２つのＬＥＤ１７のいずれかが故障する、または２つの配線部１８ｃのいずれかが断線するなどして扇形領域ＳＡに属するＬＥＤ群１７Ｇを構成する２つのＬＥＤ１７のいずれかが点灯不能になった場合であっても、残りのＬＥＤ１７は他の配線部１８ｃによる電力の供給が維持されることになる。つまり、点灯不能なＬＥＤ１７が生じたとき、その点灯不能なＬＥＤ１７と共に同じＬＥＤ群１７Ｇを構成する残りのＬＥＤ１７については、電力供給が維持されて点灯可能な状態となっているので、同じＬＥＤ群１７Ｇを構成する全てのＬＥＤ１７が点灯不能になる事態が回避されとともに、その点灯可能なＬＥＤ１７によってＬＥＤ群１７Ｇが属する扇形領域ＳＡへの光の供給が維持されることになる。これにより、ＬＥＤ群１７Ｇを構成する２つのＬＥＤ１７の中に点灯不能なＬＥＤ１７が発生しても、それに伴って局所的な暗部が生じ難くなる。しかも、周方向について隣り合う第１ＬＥＤ１７Ａ間の中心角が同一とされるとともに、周方向について隣り合う第２ＬＥＤ１７Ｂ間の中心角が同一とされているから、万が一に第１配線部１８ｃＡと第２配線部１８ｃＢとのいずれか一方が断線してその断線した配線部１８ｃに接続された各ＬＥＤ１７が全て点灯不能になった場合でも、残りの配線部１８ｃに接続されて点灯可能な各ＬＥＤ１７が等角度間隔でもって配されることになる。これにより、点灯可能な各ＬＥＤ１７からの光が導光板１４に対して周方向について等間隔に入射されるとともに、導光板１４の光出射面１４ｂからの出射光にその板面内において輝度ムラが生じ難いものとなる。
【００４６】
本実施形態は以上のような構造であり、続いてその作用を説明する。液晶表示装置１０の電源が投入されると、図示しないコントロール基板から出力される表示に係る各種信号が、フレキシブル基板２０を介して液晶パネル１１へと伝送されることで、液晶パネル１１の駆動が制御されるとともに、図示しないＬＥＤ駆動回路基板によりＬＥＤ基板１８のＬＥＤ１７の駆動が制御される。導光板１４を取り囲むようその周方向に沿って間隔を空けて並ぶ形で配される各ＬＥＤ１７から発せられる光は、図２から図４に示すように、導光板１４の各光入射面１４ａに入射されて導光板１４内を伝播された後に光出射面１４ｂから出射される。光出射面１４ｂから出射された光は、各光学シート１５を透過する際に所定の光学作用をそれぞれ付与されてから、液晶パネル１１に照射され、もって画像の表示に利用される。
【００４７】
詳しくは、ＬＥＤ基板１８のＬＥＤ１７に含まれる各第１ＬＥＤ１７Ａは、図２，図６及び図７に示すように、接続された第１配線部１８ｃＡにより電力が供給されて直列駆動されるのに対し、各第２ＬＥＤ１７Ｂは、接続された第２配線部１８ｃＢにより電力が供給されて直列駆動される。これにより、各ＬＥＤ群１７Ｇを構成する第１ＬＥＤ１７Ａ及び第２ＬＥＤ１７Ｂがそれぞれ点灯されるので、その発光光が共通の光入射面１４ａに入射され、もってそのＬＥＤ群１７Ｇが属する扇形領域ＳＡに光が供給されることになる。この光入射面１４ａは、各ＬＥＤ１７の発光面１７ａに並行するものとされているから、ＬＥＤ１７から光入射面１４ａに入射される光の入射効率が良好なものとなる。また、ＬＥＤ群１７Ｇを構成する２つのＬＥＤ１７の間の中間位置が、扇形領域ＳＡにおける周方向についての中央位置と一致するものとされているから、各ＬＥＤ１７からの光が扇形領域ＳＡにおける周方向についての中央側から両端側へと良好に広がりつつ伝播される。これにより、導光板１４の出射光量が各扇形領域ＳＡにおいて均等化され易くなり、輝度ムラの緩和を図る上でより好適となる。
【００４８】
ここで、例えば第１配線部１８ｃＡに接続された各第１ＬＥＤ１７Ａのいずれかがショートするなどして単独で点灯不能になったり、或いは第１配線部１８ｃＡが途中で断線して第１ＬＥＤ１７Ａが全て点灯不能になったりする事態が生じ得るものとされる。そのような場合であっても、図２，図６及び図７に示すように、第２配線部１８ｃＢに接続された各第２ＬＥＤ１７Ｂについては、電力供給が継続されて点灯可能な状態とされているので、各扇形領域ＳＡには少なくとも第２ＬＥＤ１７Ｂから発せられた光が供給されることになる。上記とは逆に、例えば第２配線部１８ｃＢに接続された各第２ＬＥＤ１７Ｂのいずれかがショートするなどして単独で点灯不能になったり、或いは第２配線部１８ｃＢが途中で断線して第２ＬＥＤ１７Ｂが全て点灯不能になったりする事態が生じた場合であっても、第１配線部１８ｃＡに接続された各第１ＬＥＤ１７Ａについては、電力供給が継続されて点灯可能な状態とされているので、各扇形領域ＳＡには少なくとも第１ＬＥＤ１７Ａから発せられた光が供給されることになる。これにより、各扇形領域ＳＡへの光の供給が途絶えることが避けられるので、導光板１４の板面内に局所的な暗部が生じ難いものとなり、もってバックライト装置１２の出射光に生じ得る輝度ムラが緩和される。なお、配線部１８ｃの断線以外にも、例えば１つのＬＥＤ１７が故障するのに伴ってその故障したＬＥＤ１７に接続されていた配線部１８ｃに接続された他のＬＥＤ１７が全て点灯不能になる場合も生じ得るが、その場合でも上記と同様になる。
【００４９】
しかも、図２に示すように、各扇形領域ＳＡの中心角が等しいものとされているので、各扇形領域ＳＡにおいて出射光量が均等化され易くなり、輝度ムラの緩和を図る上でより好適とされる。その上で、各扇形領域ＳＡのそれぞれに属する各ＬＥＤ群１７Ｇを構成するＬＥＤ１７の数が全て同一（２つ）とされているので、各配線部１８ｃによって各ＬＥＤ１７に供給される電力を均等化することで、導光板１４の出射光量が各扇形領域ＳＡにおいて均等化され易くなり、もって電力供給に係る構成（電源回路など）を簡素化することができる。さらには、各扇形領域ＳＡにおいて同じ配線部１８ｃに接続されるＬＥＤ１７間の中心角が等しいものとされているから、いずれかの配線部１８ｃが断線した場合であっても、残りの配線部１８ｃに接続されて点灯可能な各ＬＥＤ１７が等角度間隔でもって配されることになる。これにより、点灯可能な各ＬＥＤ１７からの光が導光板１４に対して周方向について等間隔に入射されるとともに、導光板１４の光出射面１４ｂからの出射光にその板面内において輝度ムラが生じ難いものとなる。しかも、ＬＥＤ群１７Ｇを構成する２つのＬＥＤ１７の間の間隔が、周方向について隣り合う扇形領域ＳＡのそれぞれに属する２つずつのＬＥＤ１７のうち区分線ＳＬに近い側のＬＥＤ１７の間の間隔よりも狭いものとされているから、ＬＥＤ群１７Ｇを構成する２つのＬＥＤ１７のいずれかが点灯不能になった場合でも、残りの点灯可能なＬＥＤ１７が点灯不能になったＬＥＤ１７のすぐ近くに配されることになる。これにより、残りの点灯可能なＬＥＤ１７が点灯不能なＬＥＤ１７に代替する形で近似した光学性能を発揮することができるから、その扇形領域ＳＡに局所的な暗部が生じ難いものとなる。
【００５０】
以上説明したように本実施形態のバックライト装置（照明装置）１２は、外形が実質的に円形とされ、その中心Ｃを通る区分線ＳＬによって複数の扇形領域ＳＡに区分されていて区分線ＳＬが中心Ｃにて全て交差するものとされる導光板１４と、導光板１４を取り囲む形でその周方向に沿って並ぶ複数のＬＥＤ（光源）１７であって、複数の扇形領域ＳＡのそれぞれに属する形で複数ずつ並ぶとともに周方向について隣り合う扇形領域ＳＡのそれぞれに属するもののうち周方向について端に位置するもの同士の中間位置が区分線ＳＬと一致するよう配されてなる複数のＬＥＤ１７と、扇形領域ＳＡに属する複数のＬＥＤ１７と同数またはそれ以上備えられるとともに、複数の扇形領域ＳＡのそれぞれに属する複数ずつのＬＥＤ１７のそれぞれに電力を供給する複数の配線部（電力供給部）１８ｃと、を備える。
【００５１】
このようにすれば、外形が実質的に円形とされる導光板１４は、その周方向に沿って並ぶ複数のＬＥＤ１７からの光が入射されると、入射された光を導光した後に出射するものとされる。複数の扇形領域ＳＡは、互いに周方向について隣り合う扇形領域ＳＡに属する複数ずつのＬＥＤ１７のうち周方向について端に位置するＬＥＤ１７同士の中間位置に配される区分線ＳＬによって隣り合うものの間が区分されるとともに、その区分線ＳＬが導光板１４の中心Ｃにて全て交差する関係とされているから、複数の扇形領域ＳＡに属する複数ずつＬＥＤ１７からの光が各扇形領域ＳＡに入射されると、それらの光が導光板１４の中心Ｃを超えて各区分線ＳＬ付近、つまり周方向について隣り合う扇形領域ＳＡの境界付近へと供給されることになる。周方向について隣り合う扇形領域ＳＡの境界付近では、内部に存在する光量が不足しがちとされることから、上記により導光板１４の板面内において生じ得る光量のムラが緩和される。
【００５２】
そして、複数の扇形領域ＳＡのそれぞれに属する複数ずつのＬＥＤ１７のそれぞれには、扇形領域ＳＡに属する複数のＬＥＤ１７と同数またはそれ以上備えられる複数の配線部１８ｃにより電力の供給がなされるようになっているので、万が一、例えば扇形領域ＳＡに属する複数のＬＥＤ１７のいずれかが故障する、または複数の配線部１８ｃのいずれかが断線するなどして扇形領域ＳＡに属する複数のＬＥＤ１７のいずれかが点灯不能になった場合であっても、残りのＬＥＤ１７は他の配線部１８ｃによる電力の供給が維持される。これにより、点灯不能なＬＥＤ１７の発生に伴う局所的な暗部が生じ難くなる。
【００５３】
また、導光板１４は、複数の扇形領域ＳＡにおける中心角が等しいものとされるとともに、扇形領域ＳＡの数が３以上の奇数となるよう構成されている。このようにすれば、仮に複数の扇形領域における中心角が異なる構成とされた場合に比べると、導光板１４の出射光量が各扇形領域ＳＡにおいて均等化され易くなり、輝度ムラの緩和を図る上でより好適となる。
【００５４】
また、複数のＬＥＤ１７は、複数の扇形領域ＳＡのそれぞれに属する数が同一とされている。このようにすれば、複数の扇形領域ＳＡのそれぞれに属する複数ずつのＬＥＤ１７に供給する電力を均等化することで、導光板１４の出射光量が各扇形領域ＳＡにおいて均等化され易くなる。これにより、配線部１８ｃの構成を簡素化することができる。
【００５５】
また、複数のＬＥＤ１７は、複数の扇形領域ＳＡにおいて同一の配線部１８ｃに接続されるＬＥＤ１７間の中心角が等しくなるよう配されている。万が一、複数の配線部１８ｃのいずれかが断線した場合には、その断線した配線部１８ｃに接続されたＬＥＤ１７の全てが点灯不能になる可能性がある。その場合であっても、複数のＬＥＤ１７は、複数の扇形領域ＳＡにおいて同一の配線部１８ｃに接続されるＬＥＤ１７間の中心角が等しくなるよう配されているから、残りの点灯可能なＬＥＤ１７が等角度間隔でもって配されることになる。これにより、断線した配線部１８ｃに接続されたＬＥＤ１７の全てが点灯不能になった場合、残りの点灯可能なＬＥＤ１７に他の配線部１８ｃから電力が供給されることで、導光板１４からの出射光にその板面内において輝度ムラが生じ難いものとなる。
【００５６】
また、複数のＬＥＤ１７は、扇形領域ＳＡに属する複数のＬＥＤ１７の間の間隔が、互いに周方向について隣り合う扇形領域ＳＡのそれぞれに属する複数ずつのＬＥＤ１７のうち周方向について端に位置するＬＥＤ１７の間の間隔よりも狭くなるよう配されている。このようにすれば、扇形領域ＳＡに属する複数のＬＥＤ１７のいずれかが点灯不能になった場合、残りの点灯可能なＬＥＤ１７が、その隣りの扇形領域ＳＡに属していて周方向について端に位置するＬＥＤ１７よりも、点灯不能になったＬＥＤ１７の近くに配されることになる。これにより、残りの点灯可能なＬＥＤ１７が、点灯不能なＬＥＤ１７に代替する形で近似した光学性能を発揮することができるので、点灯不能なＬＥＤ１７の発生に伴う局所的な暗部がより生じ難くなる。
【００５７】
また、複数のＬＥＤ１７は、扇形領域ＳＡに属する複数のＬＥＤ１７に含まれて周方向について両端に位置するＬＥＤ１７の間の中央位置が、扇形領域ＳＡにおける周方向についての中央位置と一致するよう配されている。このようにすれば、扇形領域ＳＡに属する複数のＬＥＤ１７から発せられた光が導光板１４内に入射されると、その扇形領域ＳＡにおける周方向についての中央側から両端側へと良好に広がりつつ伝播される。これにより、導光板１４の出射光量が各扇形領域ＳＡにおいて均等化され易くなり、輝度ムラの緩和を図る上でより好適となる。
【００５８】
また、導光板１４の外周面の一部には、ＬＥＤ１７における発光面１７ａに並行するとともにＬＥＤ１７からの光が入射される光入射面１４ａが、複数の扇形領域ＳＡ毎に複数ずつ設けられている。このようにすれば、導光板１４の光入射面１４ａがＬＥＤ１７の発光面１７ａに並行する形態とされることで、ＬＥＤ１７から光入射面１４ａに入射される光の入射効率が良好なものとなる。
【００５９】
また、導光板１４には、その外周側部分を周方向について部分的に切り欠くことで光入射面１４ａを有する切り欠き１４ｅが設けられており、複数のＬＥＤ１７は、少なくともその一部が切り欠き１４ｅ内に入る形で配されている。このようにすれば、仮に導光板の外周側部分を周方向について部分的に外側に突出させてその突部が光入射面１４ａを有する態様とした場合に比べると、複数のＬＥＤ１７における少なくとも一部が切り欠き１４ｅ内に入る形で配されることで、当該バックライト装置１２の狭額縁化が図られる。
【００６０】
また、導光板１４には、扇形領域ＳＡに属する複数のＬＥＤ１７における少なくとも一部ずつが一括して入るとともに複数の光入射面１４ａを有する形で切り欠き１４ｅが、複数の扇形領域ＳＡと同数設けられている。このようにすれば、仮に扇形領域ＳＡに属する複数のＬＥＤ１７毎に切り欠き１４ｅを複数設けるようにした場合に比べると、導光板１４の外形が複雑化し難くなる。また、切り欠き１４ｅに一部ずつが一括して入る複数のＬＥＤ１７からの光は、切り欠き１４ｅに有される複数の光入射面１４ａに入射されて導光板１４内を伝播される。
【００６１】
また、導光板１４は、その中心側部分が、光を有効に出射させる有効出光領域ＡＡとされるのに対し、外周側部分が、有効出光領域ＡＡを取り囲んでいて切り欠き１４ｅが設けられる非有効出光領域ＮＡＡとされる。このようにすれば、導光板１４のうち、有効出光領域ＡＡを取り囲む非有効出光領域ＮＡＡに切り欠き１４ｅが設けられ、光を有効に出射させる有効出光領域ＡＡには切り欠き１４ｅが設けられない構成となっているので、有効出光領域ＡＡからの出射光に切り欠き１４ｅに起因する影響が及び難いものとなり、輝度ムラを緩和する上でより好適とされる。
【００６２】
また、複数のＬＥＤ１７が実装されるとともに、複数の扇形領域ＳＡのそれぞれに属する複数ずつのＬＥＤ１７のそれぞれに対して接続されていて複数の電力供給部を構成する複数の配線部（電力供給配線部）１８ｃが設けられるＬＥＤ基板（光源基板）１８を備える。このようにすれば、仮に配線部をＬＥＤ基板１８とは別部品とした場合に比べると、部品点数及び組付工数を削減することができ、低コスト化を図る上で好適となる。
【００６３】
また、本実施形態に係る液晶表示装置（表示装置）１０は、上記記載のバックライト装置１２と、バックライト装置１２からの光を利用して表示を行う液晶パネル（表示パネル）１１とを備える。このような構成の液晶表示装置１０によれば、液晶パネル１１に対して光を供給するバックライト装置１２が、輝度ムラを生じさせ難いものであるため、表示品質の優れた表示を実現することが可能となる。
【００６４】
＜実施形態２＞
本発明の実施形態２を図８または図９によって説明する。この実施形態２では、ＬＥＤ１１７の配置及び導光板１１４の切り欠き１１４ｅの形状を変更したものを示す。なお、上記した実施形態１と同様の構造、作用及び効果について重複する説明は省略する。
【００６５】
本実施形態に係るＬＥＤ群１１７Ｇを構成する２つのＬＥＤ１１７は、図８に示すように、互いに発光面１１７ａが傾いた形で配されている。詳しくは、ＬＥＤ群１１７Ｇを構成する２つのＬＥＤ１１７は、互いの発光面１１７ａ同士が１８０度よりも大きい角度、つまり優角をなすものとされている。このうちの第１ＬＥＤ１１７Ａは、図９に示すように、発光面１１７ａが時計回り方向（周方向について隣の第２ＬＥＤ１１７Ｂ側とは反対側）に隣り合う扇形領域ＳＡとの区分線ＳＬ側を指向していて同区分線ＳＬと光軸が交差する関係とされる。これに対し、第２ＬＥＤ１１７Ｂは、発光面１１７ａが反時計回り方向（周方向について隣りの第１ＬＥＤ１１７Ａ側とは反対側）に隣り合う扇形領域ＳＡとの区分線ＳＬ側を指向していて同区分線ＳＬと光軸が交差する関係とされる。これにより、扇形領域ＳＡに属するＬＥＤ群１１７Ｇを構成する各ＬＥＤ１１７の発光面１１７ａから発せられた光は、光入射面１１４ａに入射されると、隣り合う扇形領域ＳＡに属するＬＥＤ群１１７Ｇとの間の部分へ向けてより多くが進行することになり、同部分に暗部が生じ難いものとなる。つまり、ＬＥＤ群１１７Ｇの発光光に係る出射角度範囲が、上記した実施形態１よりも広角化されるので、導光板１１４内に入射された光が扇形領域ＳＡにおいて周方向についてより広がる形で伝播され、もって輝度ムラを抑制する上でより好適となる。なお、図９には、ＬＥＤ１１７における光の出射角度範囲を一点鎖線により図示している。
【００６６】
導光板１１４の外周側部分に形成される切り欠き１１４ｅは、図９に示すように、平面に視て略Ｖ字型をなすものとされており、その中央位置にて切り欠き深さが最も深くなっている。この切り欠き１１４ｅの形成範囲は、上記した実施形態１に記載したものに比べると、周方向については狭くなっているものの、径方向については広く（深く）なっている。そして、ＬＥＤ群１１７Ｇを構成する２つのＬＥＤ１１７は、その一部が切り欠き１１４ｅに入る形で配されており、切り欠き１１４ｅに入る部分の範囲が上記した実施形態１に記載したものよりも広くなっている。これにより、上記した実施形態１との比較においてさらなる狭額縁化が図られている。この切り欠き１１４ｅによって導光板１１４の外周面には、互いに交差する２つの光入射面１１４ａが形成されており、これら２つの光入射面１１４ａが対称形状とされる。２つの光入射面１１４ａは、１８０度よりも小さい角度、つまり劣角をなすものとされており、その角度を、ＬＥＤ群１１７Ｇを構成する２つのＬＥＤ１１７の発光面１１７ａ同士がなす角度に足すと３６０度、つまり周角になるものとされる。従って、２つの光入射面１１４ａは、第１ＬＥＤ１１７Ａの発光面１１７ａに並行するもの（第１光入射面１１４ａＡ）と、第２ＬＥＤ１１７Ｂの発光面１１７ａに並行するもの（第２光入射面１１４ａＢ）と、から構成されていることになる。第１光入射面１１４ａＡは、第１ＬＥＤ１１７Ａの発光面１１７ａに並行しており、仮に導光板１１４が時計回り方向に回動しようとしたときに第１ＬＥＤ１１７Ａの発光面１１７ａに当接されるようになっている。第２光入射面１１４ａＢは、第２ＬＥＤ１１７Ｂの発光面１１７ａに並行しており、仮に導光板１１４が反時計回り方向に回動しようとしたときに第２ＬＥＤ１１７Ｂの発光面１１７ａに当接されるようになっている。これにより、略円形状をなす導光板１１４が周方向について位置ずれするのを規制することができる。
【００６７】
以上説明したように本実施形態によれば、複数のＬＥＤ１１７は、扇形領域ＳＡに属する複数のＬＥＤ１１７に、他のＬＥＤ１１７に対して発光面１１７ａが傾いたＬＥＤ１１７が含まれるよう配されている。このようにすれば、扇形領域ＳＡに属する複数のＬＥＤ１１７からの光が導光板１１４内に入射されると、その入射された光が扇形領域ＳＡにおいて周方向についてより広がる形で伝播されることになる。これにより、輝度ムラを抑制する上でより好適となる。
【００６８】
また、複数のＬＥＤ１１７は、扇形領域ＳＡに属する複数のＬＥＤ１１７のうち周方向について一方側に配されるＬＥＤ１１７の発光面１１７ａが、周方向について一方側を指向するのに対し、周方向について他方側に配されるＬＥＤ１１７の発光面１１７ａが、周方向について他方側を指向するよう配されており、導光板１１４には、その外周側部分を周方向について部分的に切り欠くことで、複数の扇形領域ＳＡのそれぞれに属する複数のＬＥＤ１１７の発光面１１７ａに並行するとともに複数のＬＥＤ１１７からの光がそれぞれ入射される複数の光入射面１１４ａを有していてさらには扇形領域ＳＡに属する複数のＬＥＤ１１７における少なくとも一部ずつが一括して入る切り欠き１１４ｅが、複数の扇形領域ＳＡと同数設けられている。このようにすれば、例えば、導光板１１４が回動しようとした場合、扇形領域ＳＡに属する複数のＬＥＤ１１７のうち周方向について一方側と他方側とにそれぞれ配される各ＬＥＤ１１７の発光面１１７ａが、切り欠き１１４ｅにおける各光入射面１１４ａに対して当接されることになるので、導光板１１４の周方向についての位置ずれを規制することが可能となる。また、扇形領域ＳＡに属する複数のＬＥＤ１１７における少なくとも一部ずつが切り欠き１１４ｅ内に一括して入る形で配されることで、当該バックライト装置１１２の狭額縁化が図られるとともに、導光板１１４の外形が複雑化し難くなる。
【００６９】
＜実施形態３＞
本発明の実施形態３を図１０から図１２によって説明する。この実施形態３では、上記した実施形態１からＬＥＤ群２１７Ｇの数、及びＬＥＤ群２１７Ｇを構成するＬＥＤ２１７の数を変更したものを示す。なお、上記した実施形態１と同様の構造、作用及び効果について重複する説明は省略する。
【００７０】
本実施形態に係るＬＥＤ群２１７Ｇは、図１０に示すように、その数が５つ（３以上の奇数）とされており、個々が３つのＬＥＤ２１７から構成されている。詳しくは、５つのＬＥＤ群２１７Ｇは、導光板２１４の周方向についてほぼ等しい間隔を空けて並んで配されており、周方向について隣り合うＬＥＤ群２１７Ｇ同士がなす中心角が約７２度とされている。従って、各ＬＥＤ群２１７Ｇを構成する３つずつのＬＥＤ２１７に含まれて両端に位置する２つのＬＥＤ２１７の間の中間位置（中央に位置するＬＥＤ２１７の中央位置）と、導光板２１４の中心Ｃと、を結ぶ線分は、導光板２１４の中心Ｃを挟んで一直線状となることはなく、導光板２１４の中心Ｃにて全てが交差する関係となっている。ＬＥＤ群２１７Ｇを構成する３つのＬＥＤ２１７は、周方向について隣り合うものの間の間隔が、周方向について隣り合うＬＥＤ群２１７Ｇの間の周方向についての間隔よりも狭くなるものとされる。
【００７１】
上記のようなＬＥＤ群２１７Ｇの配置に応じて導光板２１４は、以下のように区分されている。すなわち、導光板２１４は、図１０に示すように、その中心Ｃを通る区分線ＳＬによってＬＥＤ群２１７Ｇと同数、つまり５つの扇形領域ＳＡに区分されていてその区分線ＳＬが導光板２１４の中心Ｃにて全て交差するものとされる。具体的には、周方向について隣り合う扇形領域ＳＡを区分する区分線ＳＬは、ＬＥＤ群２１７Ｇを構成する３つのＬＥＤ２１７のうち周方向について上記区分線ＳＬに近い側の（端に位置する）ＬＥＤ２１７の間の中間位置と一致するものとされる。各扇形領域ＳＡには、各ＬＥＤ群２１７Ｇを構成する３つずつのＬＥＤ２１７がそれぞれ属する関係となっている。また、各扇形領域ＳＡにおける周方向についての中央位置は、ＬＥＤ群２１７Ｇを構成する両端の２つのＬＥＤ２１７の間の中間位置（中央に位置するＬＥＤ２１７の中央位置）と一致している（図１１を参照）。扇形領域ＳＡの中心角は、約７２度、つまり周方向について隣り合うＬＥＤ群２１７Ｇ同士がなす中心角と同一とされている。その上で、扇形領域ＳＡの具体的な区分数は、５つ、つまり３以上の奇数とされているので、各扇形領域ＳＡの区分線ＳＬは、導光板２１４の中心Ｃにて全て交差する関係となっている。ＬＥＤ群２１７Ｇを構成する３つのＬＥＤ２１７からの光が入射される３つの光入射面２１４ａは、相互に繋げられて一体化されており、全体として３つのＬＥＤ２１７に跨る延在長さを有している。相互に繋げられた３つの光入射面２１４ａには、ＬＥＤ群２１７Ｇを構成する３つのＬＥＤ２１７から発せられた光が共に入射されるようになっている。このような光入射面２１４ａを形成するため、切り欠き２１４ｅの形成範囲は、ＬＥＤ群２１７Ｇを構成する３つのＬＥＤ２１７に跨る大きさとなっており、ＬＥＤ群２１７Ｇを構成する３つのＬＥＤ２１７における一部ずつが一括して切り欠き２１４ｅに入る形となっている。なお、図１１には、ＬＥＤ２１７における光の出射角度範囲を一点鎖線により図示している。
【００７２】
そして、ＬＥＤ基板２１８には、図１０及び図１２に示すように、配線部２１８ｃが、扇形領域ＳＡに属するＬＥＤ群２１７Ｇを構成するＬＥＤ２１７と同数、つまり３つ備えられている。つまり、このＬＥＤ基板２１８は、給電系統が３系統とされている。詳しくは、配線部２１８ｃには、ＬＥＤ群２１７Ｇを構成する３つのＬＥＤ２１７のうちの一方の端（図１０に示す反時計回り方向の端）に位置するＬＥＤ２１７に接続される第１配線部２１８ｃＡと、他方の端（図１０に示す時計回り方向の端）に位置するＬＥＤ２１７に接続される第２配線部２１８ｃＢと、中央に位置するＬＥＤ２１７に接続される第３配線部（第３電力供給配線部、第３電力供給部）２１８ｃＣと、が含まれている。第１配線部２１８ｃＡに接続される一方の端に位置するＬＥＤ２１７が第１ＬＥＤ２１７Ａとされ、第２配線部２１８ｃＢに接続される他方の端に位置するＬＥＤ２１７が第２ＬＥＤ２１７Ｂとされ、第３配線部２１８ｃＣに接続される中央に位置するＬＥＤ２１７が第３ＬＥＤ２１７Ｃとされる。なお、以下では配線部２１８ｃ及びＬＥＤ２１７を区別する場合には、第１配線部及び第１ＬＥＤの符号に添え字Ａを、第２配線部及び第２ＬＥＤの符号に添え字Ｂを、第３配線部及び第３ＬＥＤの符号に添え字Ｃを付し、区別せずに総称する場合には、符号に添え字を付さないものとする。
【００７３】
具体的には、第１配線部２１８ｃＡ、第２配線部２１８ｃＢ、及び第３配線部２１８ｃＣは、ＬＥＤ基板２１８の基板本体２１８ａにおいて各ＬＥＤ２１７に対して内周側または外周側を通る形で延在して基板本体２１８ａをほぼ一周し、その途中で第１ＬＥＤ２１７Ａ、第２ＬＥＤ２１７Ｂ、及び第３ＬＥＤ２１７Ｃに対してそれぞれ接続されている。第１配線部２１８ｃＡは、各ＬＥＤ群２１７Ｇを構成する３つずつのＬＥＤ２１７のうち、反時計回り方向について手前側の端に配された各ＬＥＤ２１７（第１ＬＥＤ２１７Ａ）における各端子に接続されている。つまり、第１配線部２１８ｃＡに接続される第１ＬＥＤ２１７Ａは、各ＬＥＤ群２１７Ｇを構成する３つずつのＬＥＤ２１７のうち、反時計回り方向について手前側の端に配されるものとなっており、それらの間の中心角が全て等しくて、約７２度程度とされる。これに対し、第２配線部２１８ｃＢは、各ＬＥＤ群２１７Ｇを構成する３つずつのＬＥＤ２１７のうち、反時計回り方向について奥側の端に配された各ＬＥＤ２１７（第２ＬＥＤ２１７Ｂ）における各端子に接続されている。つまり、第２配線部２１８ｃＢに接続される第２ＬＥＤ２１７Ｂは、各ＬＥＤ群２１７Ｇを構成する３つずつのＬＥＤ２１７のうち、反時計回り方向について奥側の端に配されるものとなっており、それらの間の中心角が全て等しくて、約７２度程度、つまり第１ＬＥＤ２１７Ａ間の中心角とも等しくなっている。さらには、第３配線部２１８ｃＣは、各ＬＥＤ群２１７Ｇを構成する３つずつのＬＥＤ２１７のうち、周方向について中央に配された各ＬＥＤ２１７（第３ＬＥＤ２１７Ｃ）における各端子に接続されている。つまり、第３配線部２１８ｃＣに接続される第３ＬＥＤ２１７Ｃは、各ＬＥＤ群２１７Ｇを構成する３つずつのＬＥＤ２１７のうち、周方向について中央に配されるものとなっており、それらの間の中心角が全て等しくて、約７２度程度、つまり第１ＬＥＤ２１７Ａ間の中心角及び第２ＬＥＤ２１７Ｂ間の中心角とも等しくなっている。従って、このＬＥＤ基板２１８には、第１ＬＥＤ２１７Ａと第２ＬＥＤ２１７Ｂと第３ＬＥＤ２１７Ｃとが周方向について交互に並ぶ形で実装されている、と言える。そして、第１配線部２１８ｃＡ、第２配線部２１８ｃＢ、及び第３配線部２１８ｃＣは、図１２に示すように、それぞれの一方の端部が、引き出し配線部２１８ｄのうちアノード側給電端子部２１８ｄ１に連なるものに共通して接続されているのに対し、それぞれの他方の端部が引き出し配線部２１８ｄのうちカソード側給電端子部２１８ｄ２に連なるものにそれぞれ個別に接続されている。これにより、各第１ＬＥＤ２１７Ａは、第１配線部２１８ｃＡにより直流駆動され、各第２ＬＥＤ２１７Ｂは、第２配線部２１８ｃＢにより直流駆動され、各第３ＬＥＤ２１７Ｃは、第３配線部２１８ｃＣにより直流駆動されるようになっている。
【００７４】
このような構成によれば、例えば第１配線部２１８ｃＡに接続された各第１ＬＥＤ２１７Ａのいずれかがショートするなどして単独で点灯不能になったり、或いは第１配線部２１８ｃＡが途中で断線して第１ＬＥＤ２１７Ａが全て点灯不能になったりする事態が生じた場合であっても、図１２に示すように、第２配線部２１８ｃＢに接続された各第２ＬＥＤ２１７Ｂ、及び第３配線部２１８ｃＣに接続された各第３ＬＥＤ２１７Ｃについては、電力供給が継続されて点灯可能な状態とされているので、各扇形領域ＳＡには少なくとも第２ＬＥＤ２１７Ｂ及び第３ＬＥＤ２１７Ｃから発せられた光が供給されることになる。一方、例えば第２配線部２１８ｃＢに接続された各第２ＬＥＤ２１７Ｂのいずれかがショートするなどして単独で点灯不能になったり、或いは第２配線部２１８ｃＢが途中で断線して第２ＬＥＤ２１７Ｂが全て点灯不能になったりする事態が生じた場合であっても、第１配線部２１８ｃＡに接続された各第１ＬＥＤ２１７Ａ、及び第３配線部２１８ｃＣに接続された各第３ＬＥＤ２１７Ｃについては、電力供給が継続されて点灯可能な状態とされているので、各扇形領域ＳＡには少なくとも第１ＬＥＤ２１７Ａ及び第３ＬＥＤ２１７Ｃから発せられた光が供給されることになる。さらには、例えば第３配線部２１８ｃＣに接続された各第３ＬＥＤ２１７Ｃのいずれかがショートするなどして単独で点灯不能になったり、或いは第３配線部２１８ｃＣが途中で断線して第２ＬＥＤ２１７Ｂが全て点灯不能になったりする事態が生じた場合であっても、第１配線部２１８ｃＡに接続された各第１ＬＥＤ２１７Ａ、及び第２配線部２１８ｃＢに接続された各第２ＬＥＤ２１７Ｂについては、電力供給が継続されて点灯可能な状態とされているので、各扇形領域ＳＡには少なくとも第１ＬＥＤ２１７Ａ及び第２ＬＥＤ２１７Ｂから発せられた光が供給されることになる。これにより、各扇形領域ＳＡへの光の供給が途絶えることが避けられるので、導光板２１４の板面内に局所的な暗部が生じ難いものとなり、もってバックライト装置２１２の出射光に生じ得る輝度ムラが緩和される。
【００７５】
＜実施形態４＞
本発明の実施形態４を図１３または図１４によって説明する。この実施形態４では、上記した実施形態３からＬＥＤ３１７の配置及び導光板３１４の切り欠き３１４ｅの形状を変更したものを示す。なお、上記した実施形態３と同様の構造、作用及び効果について重複する説明は省略する。
【００７６】
本実施形態に係るＬＥＤ群３１７Ｇを構成する３つのＬＥＤ３１７は、図１３及び図１４に示すように、互いに発光面３１７ａが傾いた形で配されている。詳しくは、ＬＥＤ群３１７Ｇを構成する３つのＬＥＤ３１７のうち、周方向について中央に位置する第３ＬＥＤ３１７Ｃは、その発光面３１７ａが導光板３１４の外周面における接線に並行するのに対し、周方向について両端に位置する第１ＬＥＤ３１７Ａ及び第２ＬＥＤ３１７Ｂは、それぞれの発光面３１７ａが第３ＬＥＤ３１７Ｃの発光面３１７ａに対してそれぞれ１８０度よりも大きい角度、つまり優角をなすものとされている。また、第１ＬＥＤ３１７Ａ及び第２ＬＥＤ３１７Ｂにおける発光面３１７ａ同士も優角をなしており、その角度は上記した第３ＬＥＤ３１７Ｃの発光面３１７ａに対してなす角度よりも大きなものとされる。このうちの第１ＬＥＤ３１７Ａは、発光面３１７ａが時計回り方向（周方向について第２ＬＥＤ３１７Ｂ及び第３ＬＥＤ３１７Ｃ側とは反対側）に隣り合う扇形領域ＳＡとの区分線ＳＬ側を指向していて同区分線ＳＬと光軸が交差する関係とされる。これに対し、第２ＬＥＤ３１７Ｂは、発光面３１７ａが反時計回り方向（周方向について第１ＬＥＤ３１７Ａ及び第３ＬＥＤ３１７Ｃ側とは反対側）に隣り合う扇形領域ＳＡとの区分線ＳＬ側を指向していて同区分線ＳＬと光軸が交差する関係とされる。これにより、扇形領域ＳＡに属するＬＥＤ群３１７Ｇを構成する第１ＬＥＤ３１７Ａ及び第２ＬＥＤ３１７Ｂの各発光面３１７ａから発せられた光は、光入射面３１４ａに入射されると、隣り合う扇形領域ＳＡに属するＬＥＤ群３１７Ｇとの間の部分へ向けてより多くが進行することになり、同部分に暗部が生じ難いものとなる。つまり、ＬＥＤ群３１７Ｇの発光光に係る出射角度範囲が、上記した実施形態３よりも広角化されるので、導光板３１４内に入射された光が扇形領域ＳＡにおいて周方向についてより広がる形で伝播され、もって輝度ムラを抑制する上でより好適となる。なお、図１４には、ＬＥＤ３１７における光の出射角度範囲を一点鎖線により図示している。
【００７７】
導光板３１４の外周側部分に形成される切り欠き３１４ｅは、図１４に示すように、平面に視て略台形型をなすものとされており、その中央位置にて切り欠き深さが最も深くなっている。この切り欠き３１４ｅの形成範囲は、上記した実施形態３に記載したものに比べると、周方向については狭くなっているものの、径方向については広く（深く）なっている。そして、ＬＥＤ群３１７Ｇを構成する３つのＬＥＤ３１７は、その一部が切り欠き３１４ｅに入る形で配されており、切り欠き３１４ｅに入る部分の範囲が上記した実施形態３に記載したものよりも広くなっている。これにより、上記した実施形態３との比較においてさらなる狭額縁化が図られている。この切り欠き３１４ｅによって導光板３１４の外周面には、互いに交差する３つの光入射面３１４ａが形成されており、これら３つの光入射面３１４ａが対称形状とされる。３つの光入射面３１４ａは、第１ＬＥＤ３１７Ａの発光面３１７ａに並行するもの（第１光入射面３１４ａＡ）と、第２ＬＥＤ３１７Ｂの発光面３１７ａに並行するもの（第２光入射面３１４ａＢ）と、第３ＬＥＤ３１７Ｃの発光面３１７ａに並行するもの（第３光入射面３１４ａＣ）と、から構成されている。第１光入射面３１４ａＡ及び第２光入射面３１４ａＢは、第３光入射面３１４ａＣに対してそれぞれ１８０度よりも小さい角度、つまり劣角をなすものとされており、その角度を、ＬＥＤ群３１７Ｇを構成する第１ＬＥＤ３１７Ａ及び第２ＬＥＤ３１７Ｂの発光面３１７ａと第３ＬＥＤ３１７Ｃの発光面３１７ａとがなす角度に足すと３６０度、つまり周角になるものとされる。また、第１光入射面３１４ａＡと第２光入射面３１４ａＢとがなす角度も劣角をなすものとされており、その角度を、その角度を、ＬＥＤ群３１７Ｇを構成する第１ＬＥＤ３１７Ａ及び第２ＬＥＤ３１７Ｂの発光面３１７ａ同士がなす角度に足すと３６０度、つまり周角になるものとされる。第１光入射面３１４ａＡは、第１ＬＥＤ３１７Ａの発光面３１７ａに並行しており、仮に導光板３１４が時計回り方向に回動しようとしたときに第１ＬＥＤ３１７Ａの発光面３１７ａに当接されるようになっている。第２光入射面３１４ａＢは、第２ＬＥＤ３１７Ｂの発光面３１７ａに並行しており、仮に導光板３１４が反時計回り方向に回動しようとしたときに第２ＬＥＤ３１７Ｂの発光面３１７ａに当接されるようになっている。第３光入射面３１４ａＣは、第３ＬＥＤ３１７Ｃの発光面３１７ａに並行しており、仮に導光板３１４が反時計回り方向に回動しようとしたときに第３ＬＥＤ３１７Ｃの発光面３１７ａに当接されるようになっている。これにより、略円形状をなす導光板３１４が周方向について位置ずれするのを規制することができる。
【００７８】
＜実施形態５＞
本発明の実施形態５を図１５によって説明する。この実施形態５では、上記した実施形態２から導光板４１４の構成を変更したものを示す。なお、上記した実施形態２と同様の構造、作用及び効果について重複する説明は省略する。
【００７９】
本実施形態に係る導光板４１４には、図１５に示すように、外周側部分を周方向について部分的に径方向の外側に突出させることで突部２２が設けられている。この突部２２は、平面に視て略三角形状をなしており、外側面が互いに交差する２つの直線状の面からなるものとされる。そして、突部２２は、その外側面が導光板４１４の外周面の一部を構成するとともに各ＬＥＤ４１７の発光面４１７ａに並行する２つの光入射面４１４ａを構成している。突部２２に有される２つの光入射面４１４ａは、互いに１８０度よりも大きい角度、つまり優角をなすものとされており、２つのＬＥＤ４１７における発光面４１７ａ同士がなす角度とほぼ等しいものとされている。このような構成であっても、上記した実施形態２と概ね同様の作用及び効果を得ることができる。
【００８０】
＜実施形態６＞
本発明の実施形態６を図１６によって説明する。この実施形態６では、上記した実施形態４から導光板５１４の構成を変更したものを示す。なお、上記した実施形態４と同様の構造、作用及び効果について重複する説明は省略する。
【００８１】
本実施形態に係る導光板５１４には、図１６に示すように、外周側部分を周方向について部分的に径方向の外側に突出させることで突部５２２が設けられている。この突部５２２は、平面に視て略台形状をなしており、外側面が互いに交差する３つの直線状の面からなるものとされる。そして、突部５２２は、その外側面が導光板５１４の外周面の一部を構成するとともに各ＬＥＤ５１７の発光面５１７ａに並行する３つの光入射面５１４ａを構成している。突部５２２に有される３つの光入射面５１４ａは、それぞれが１８０度よりも大きい角度、つまり優角をなすものとされており、３つのＬＥＤ５１７における発光面５１７ａ同士がなす角度とほぼ等しいものとされている。このような構成であっても、上記した実施形態４と概ね同様の作用及び効果を得ることができる。
【００８２】
＜実施形態７＞
本発明の実施形態７を図１７によって説明する。この実施形態７では、上記した実施形態１からバックライト装置６１２及び導光板６１４の平面形状を変更したものを示す。なお、上記した実施形態１と同様の構造、作用及び効果について重複する説明は省略する。
【００８３】
本実施形態に係るバックライト装置６１２及び導光板６１４は、図１７に示すように、その平面形状が横長な略楕円形状をなしている。このような構成であっても、上記した実施形態１と同様の作用及び効果を得ることができる。
【００８４】
＜他の実施形態＞
本発明は上記記述及び図面によって説明した実施形態に限定されるものではなく、例えば次のような実施形態も本発明の技術的範囲に含まれる。
（１）上記した各実施形態では、ＬＥＤ群が、扇形領域における周方向についての中央位置付近に配される場合を示したが、ＬＥＤ群が、扇形領域における周方向についての中央位置からいずれか一方の端寄りに偏在する形で配される構成であっても構わない。その場合、ＬＥＤ群の配置変更に伴って、光入射面の配置についても変更すればよい。
【００８５】
（２）上記した各実施形態では、ＬＥＤ群を構成する複数のＬＥＤが、扇形領域における周方向についての中央位置に関して対称配置される場合を示したが、ＬＥＤ群を構成する複数のＬＥＤが、扇形領域における周方向についての中央位置に関して非対称配置される構成であっても構わない。その場合、各ＬＥＤの配置変更に伴って、各光入射面の配置についても変更すればよい。
【００８６】
（３）上記した各実施形態では、ＬＥＤ群を構成する複数のＬＥＤの間の周方向についての間隔が、各ＬＥＤの幅寸法よりも小さくなる場合を例示したが、ＬＥＤ群を構成する複数のＬＥＤの間の周方向についての間隔が、各ＬＥＤの幅寸法よりも大きくなる構成を採ることも可能である。その場合であっても、ＬＥＤ群を構成する複数のＬＥＤの間の周方向についての間隔は、周方向について隣り合うＬＥＤ群を構成する２つずつのＬＥＤのうち周方向について区分線に近い端に位置するＬＥＤの間の間隔よりも狭い設定とされるのが好ましいが、必ずしもその限りではない。
【００８７】
（４）上記した各実施形態では、ＬＥＤ群を構成する複数のＬＥＤの間の周方向についての間隔が、周方向について隣り合うＬＥＤ群を構成する２つずつのＬＥＤのうち周方向について区分線に近い端に位置するＬＥＤの間の間隔よりも狭くなる場合を例示したが、上記した間隔同士が互いに等しくなる関係、つまり全てのＬＥＤが周方向について等間隔に配置される構成を採ることも可能である。
【００８８】
（５）上記した各実施形態では、ＬＥＤの発光面が直線状をなすとともに光入射面がＬＥＤの発光面に並行して直線状をなす構成のものを示したが、ＬＥＤの発光面を凹型の円弧状をなす構成とし、それに伴って光入射面をＬＥＤの発光面に並行して凸型の円弧状をなす構成とすることも可能である。その場合は、導光板の外周面の一部をそのまま、切り欠きを形成することなく光入射面として利用することが可能となる。なお、上記とは凹凸関係を逆転させて、ＬＥＤの発光面を凸型の円弧状をなす構成とし、それに伴って光入射面をＬＥＤの発光面に並行して凹型の円弧状をなす構成とすることも可能である。
【００８９】
（６）上記した各実施形態では、ＬＥＤの発光面と光入射面とが並行する構成を例示したが、ＬＥＤの発光面と光入射面とが交差し合う構成を採ることも可能である。具体的には、例えば、ＬＥＤの発光面については直線状をなす形態のままとした上で、導光板に切り欠きを設けず、外周面の一部である円弧状部分をそのまま光入射面として利用するような構成を採ることが可能である。
【００９０】
（７）上記した各実施形態では、導光板における扇形領域の区分数及びＬＥＤ群の数が５または７される場合を例示したが、例えば３，９，１１，１３などの３以上の奇数となる範囲内において適宜に変更することが可能である。このようにすれば、各扇形領域の中心角を全てほぼ同一に揃えつつも各区分線が全て導光板の中心にて交差する関係を保つことができる。
【００９１】
（８）上記した（７）以外にも、導光板における扇形領域の区分数及びＬＥＤ群の数を２以上の偶数に変更することも可能である。その場合は、２以上の偶数の扇形領域に、中心角が異なる扇形領域を含ませるようにすることで、各区分線が全て導光板の中心にて交差する関係を保つことができる。
【００９２】
（９）上記した各実施形態では、各扇形領域に属する各ＬＥＤ群を構成するＬＥＤの数が同一（２または３）とされる場合を例示したが、各扇形領域に属する各ＬＥＤ群を構成するＬＥＤの数が異なっていても構わない。
【００９３】
（１０）上記した各実施形態では、各扇形領域に属する各ＬＥＤ群を構成するＬＥＤの数が２または３とされる場合を例示したが、各ＬＥＤ群を構成するＬＥＤの数を４以上とすることも可能である。
【００９４】
（１１）上記した各実施形態では、各扇形領域に属する各ＬＥＤ群を構成するＬＥＤの数と、配線部の数と、が等しくなる場合を例示したが、配線部の数が、各扇形領域に属する各ＬＥＤ群を構成するＬＥＤの数よりも多くなる構成を採ることも可能である。
【００９５】
（１２）上記した各実施形態では、各扇形領域において同一の配線部に接続されるＬＥＤ間の中心角が等しくなる場合を例示したが、各扇形領域において同一の配線部に接続されるＬＥＤ間の中心角に異なるものが含まれていても構わない。
【００９６】
（１３）上記した各実施形態では、アノード側給電端子部がカソード側給電端子部と導通設けられた場合を例示したが、アノード側給電端子部を１つにして共通化を図ることも可能である。
【００９７】
（１４）上記した各実施形態では、複数の配線部における一方の端部のそれぞれが、引き出し配線部のうちアノード側給電端子部に連なるものに共通して接続される場合を例示したが、引き出し配線部をアノード側給電端子部毎に設けるようにし、それらの引き出し配線部に対して複数の配線部における一方の端部のそれぞれを個別に接続するようにしても構わない。
【００９８】
（１５）上記した実施形態２，４では、各ＬＥＤの発光面同士がなす角度と、各光入射面同士がなす角度と、がほぼ等しくなる場合を示したが、これらの角度が互いに異なる設定とすることも可能である。
【００９９】
（１６）上記した実施形態２，４以外にも、各ＬＥＤの発光面同士がなす具体的な角度や、各光入射面同士がなす具体的な角度については、適宜に変更可能である。
【０１００】
（１７）上記した実施形態５，６では、実施形態２，４の変形例として導光板に光入射面を有する突部を設けるようにした場合を示したが、その他にも、例えば実施形態１，３，７の変形例として導光板に光入射面を有する突部を設けるようにすることも可能である。
【０１０１】
（１８）上記した実施形態７では、バックライト装置及び導光板の平面形状を横長な楕円形状とした場合を示したが、バックライト装置及び導光板の平面形状を縦長な楕円形状とすることも可能である。
【０１０２】
（１９）上記した実施形態７に記載したような楕円形状の液晶パネルに、実施形態２〜６に記載した構成を組み合わせることも可能である。
【０１０３】
（２０）上記した各実施形態以外にも、バックライト装置を構成する導光板の厚みやＬＥＤの高さなどの具体的な数値は適宜に変更可能である。
【０１０４】
（２１）上記した各実施形態では、ＴＦＴを構成する半導体膜の材料として酸化物半導体材料を示したが、その具体的な材料としては、例えば、インジウム（Ｉｎ）、ガリウム（Ｇａ）、亜鉛（Ｚｎ）、酸素（Ｏ）を含むＩｎ−Ｇａ−Ｚｎ−Ｏ系半導体（酸化インジウムガリウム亜鉛）を用いるのが好ましい。ここで、Ｉｎ−Ｇａ−Ｚｎ−Ｏ系半導体は、Ｉｎ（インジウム）、Ｇａ（ガリウム）、Ｚｎ（亜鉛）の三元系酸化物であって、Ｉｎ、Ｇａ及びＺｎの割合（組成比）は特に限定されず、例えばＩｎ：Ｇａ：Ｚｎ＝２：２：１、Ｉｎ：Ｇａ：Ｚｎ＝１：１：１、Ｉｎ：Ｇａ：Ｚｎ＝１：１：２等を含む。このうち、Ｉｎ、ＧａおよびＺｎを１：１：１の割合で含むＩｎ−Ｇａ−Ｚｎ−Ｏ系半導体を用いるのが特に好ましい。このような酸化物半導体（Ｉｎ−Ｇａ−Ｚｎ−Ｏ系半導体）は、アモルファスでもよいが、好ましくは結晶質部分を含む結晶性を有するものとされる。結晶性を有する酸化物半導体としては、例えば、ｃ軸が層面に概ね垂直に配向した結晶質Ｉｎ−Ｇａ−Ｚｎ−Ｏ系半導体が好ましい。このような酸化物半導体（Ｉｎ−Ｇａ−Ｚｎ−Ｏ系半導体）の結晶構造は、例えば、特開２０１２−１３４４７５号公報に開示されている。参考のために、特開２０１２−１３４４７５号公報の開示内容の全てを本明細書に援用する。
【０１０５】
（２２）上記した各実施形態では、ＴＦＴを構成する半導体膜が酸化物半導体材料からなる場合を例示したが、それ以外にも、例えばポリシリコン（多結晶化されたシリコン（多結晶シリコン）の一種であるＣＧシリコン（Continuous Grain Silicon））やアモルファスシリコンを半導体膜の材料として用いることも可能である。
【０１０６】
（２３）上記した各実施形態では、ＬＥＤ基板をシャーシに固着させる場合を例示したが、ＬＥＤ基板を反射シートに固着させるようにしても構わない。
【０１０７】
（２４）上記した各実施形態では、ＬＥＤ基板が導光板及び反射シートに対して裏側に重なる形で配される構成のものを例示したが、ＬＥＤ基板が導光板に対して表側に重なる形で配される構成のものにも本発明は適用可能である。その場合、ＬＥＤ基板における裏側の板面にＬＥＤが実装されることになる。
【０１０８】
（２５）上記した各実施形態では、ＬＥＤが側面発光型とされる場合を例示したが、頂面発光型のＬＥＤを用いることも可能である。
【０１０９】
（２６）上記した各実施形態では、ＬＥＤ基板がフィルム状の基材からなるものを例示したが、ＬＥＤ基板の基材が一定の厚みを有する板状をなす構成とすることも可能である。
【０１１０】
（２７）上記した各実施形態では、光源としてＬＥＤを例示したが、光源として有機ＥＬなどを用いるようにしてもよい。
【０１１１】
（２８）上記した各実施形態では、液晶パネルが有するカラーフィルタの着色部をＲ，Ｇ，Ｂの３色としたものを例示したが、着色部を４色以上とすることも可能である。
【０１１２】
（２９）上記した各実施形態以外にも、タッチパネル、視差バリアパネル、カバーガラスなどを備えた液晶表示装置にも本発明は適用可能である。
【０１１３】
（３０）上記した各実施形態では、透過型の液晶表示装置を例示したが、それ以外にも半透過型の液晶表示装置にも本発明は適用可能である。
【０１１４】
（３１）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１１５】
（３２）上記した各実施形態では、液晶パネルにおけるアレイ基板側に画素電極が配されるとともにＣＦ基板側に対向電極が配されるものを示したが、アレイ基板側に画素電極と対向電極とが共に配される構成の液晶パネルを用いることも可能である。このような液晶パネルは、好ましくはＩＰＳ（In-Plane Switching）モードやＦＦＳ（Fringe Field Switching）モードとされる。
【０１１６】
（３３）上記した各実施形態では、表示パネルとして液晶パネルを用いた場合を示したが、例えば、バックライト装置からの光を利用して画像を表示するＭＥＭＳ（Micro Electro Mechanical Systems）表示パネルを用いることも可能である。このＭＥＭＳ表示パネルは、表示画素を構成する微小な機械式シャッタが多数個マトリクス状に平面配置されてなり、各機械式シャッタの開閉を個別に制御することで、表示画素毎にバックライト装置からの光に係る透過光量を調整し、もって所定の階調の画像を表示することができる。このようなＭＥＭＳ表示パネルを用いる場合には、バックライト装置には、赤色、緑色、青色の各色の光を単色発光することが可能なＬＥＤを用いるのが好ましく、そのＬＥＤにおいて各色の光を時分割して点灯させるのに同期してＭＥＭＳ表示パネルの各機械式シャッタの開閉のタイミングを制御することで、カラー画像を表示することが可能とされる。なお、具体的なＬＥＤとしては、赤色ＬＥＤチップ、緑色ＬＥＤチップ、及び青色ＬＥＤチップを備え、これら各色のＬＥＤチップを時分割して点灯させることが可能な３ｉｎ１タイプのＬＥＤを用いるのが好ましいが、必ずしもその限りではない。
【符号の説明】
【０１１７】
１０...液晶表示装置（表示装置）、１１...液晶パネル（表示パネル）、１２，１１２，２１２，６１２...バックライト装置（照明装置）、１４，１１４，２１４，３１４，４１４，５１４，６１４...導光板、１４ａ，１１４ａ，２１４ａ，３１４ａ，４１４ａ，５１４ａ...光入射面、１４ｅ，１１４ｅ，２１４ｅ，３１４ｅ...切り欠き、１７，１１７，２１７，３１７，４１７，５１７...ＬＥＤ（光源）、１７ａ，１１７ａ，３１７ａ，４１７ａ，５１７ａ...発光面、１８，２１８...ＬＥＤ基板（光源基板）、１８ｃ，２１８ｃ...配線部（電力供給部、電力供給配線部）、ＡＡ...有効出光領域、Ｃ...中心、ＮＡＡ...非有効出光領域、ＳＡ...扇形領域、ＳＬ...区分線
【図１】
2016129514.tif 000003
【図２】
2016129514.tif 000004
【図３】
2016129514.tif 000005
【図４】
2016129514.tif 000006
【図５】
2016129514.tif 000007
【図６】
2016129514.tif 000008
【図７】
2016129514.tif 000009
【図８】
2016129514.tif 000010
【図９】
2016129514.tif 000011
【図１０】
2016129514.tif 000012
【図１１】
2016129514.tif 000013
【図１２】
2016129514.tif 000014
【図１３】
2016129514.tif 000015
【図１４】
2016129514.tif 000016
【図１５】
2016129514.tif 000017
【図１６】
2016129514.tif 000018
【図１７】
2016129514.tif 000019
【国際調査報告】
2016129514.tif 000020
2016129514.tif 000021
2016129514.tif 000022
2016129514.tif 000023